(57)【要約】【課題】印刷ジョブ実行中に用紙のエンプティ状態が検出され中断したジョブが再開する際に、効率的な印刷出力を行えるようにする。【解決手段】画像形成装置１は、用紙を収容する給紙トレイ５と、給紙トレイ５から用紙を１枚ずつ取り出して搬送する用紙搬送機構１０と、用紙搬送機構１０によって搬送される用紙が所定位置を通過する際に、用紙の種類を判別する用紙種類判別部７１と、用紙種類判別部７１によって判別される用紙の種類に応じて用紙搬送機構１０による用紙の搬送速度を制御することが可能な搬送速度決定部４２とを備え、搬送速度決定部４２は、給紙トレイ５における用紙のエンプティ状態が検出された後、用紙搬送機構１０によって補充後の用紙の搬送動作が開始されるとき、用紙搬送機構１０による用紙の搬送速度を、エンプティ状態が検出された時点の搬送速度に設定する。【選択図】図３
2020015595.tif 000002
【特許請求の範囲】
【請求項１】
シート状の印刷媒体を収容する給紙トレイと、
前記給紙トレイから印刷媒体を１枚ずつ取り出して搬送する搬送手段と、
前記搬送手段によって搬送される印刷媒体が所定位置を通過する際に、印刷媒体の種類を判別する判別手段と、
前記判別手段によって判別される印刷媒体の種類に応じて前記搬送手段による印刷媒体の搬送速度を制御することが可能な制御手段と、
を備え、
前記制御手段は、前記給紙トレイにおける印刷媒体のエンプティ状態が検出された後、前記搬送手段によって補充後の印刷媒体の搬送動作が開始されるとき、前記搬送手段による印刷媒体の搬送速度を、前記エンプティ状態が検出された時点の搬送速度に設定することを特徴とする画像形成装置。
【請求項２】
前記給紙トレイにおける印刷媒体のエンプティ状態が検出された後、前記搬送手段によって補充後の印刷媒体の搬送動作が開始されるときに、所定の条件が満たされているか否かを判定する条件判定手段、
を更に備え、
前記制御手段は、前記条件判定手段によって前記所定の条件が満たされていると判定された場合に、前記搬送手段による印刷媒体の搬送速度を、前記エンプティ状態が検出された時点の搬送速度に設定することを特徴とする請求項１に記載の画像形成装置。
【請求項３】
前記制御手段は、前記条件判定手段によって前記所定の条件が満たされていないと判定された場合に、前記搬送手段による印刷媒体の搬送速度を、前記エンプティ状態が検出された時点の搬送速度よりも低速である所定の搬送速度に設定することを特徴とする請求項２に記載の画像形成装置。
【請求項４】
前記給紙トレイにおける印刷媒体のエンプティ状態が検出された後、前記給紙トレイに補充される印刷媒体の種類が変更されるか否かをユーザーに問い合わせて確認する確認手段、
を更に備え、
前記所定の条件には、前記確認手段によって前記給紙トレイに補充される印刷媒体の種類が変更されないことが確認されていることが含まれることを特徴とする請求項２又は３に記載の画像形成装置。
【請求項５】
前記所定の条件には、所定のジョブの実行中に前記給紙トレイにおける印刷媒体のエンプティ状態が検出されることによって当該所定のジョブの実行が中断し、前記給紙トレイに印刷媒体が補充されることによって当該所定のジョブの実行が再開されることが含まれることを特徴とする請求項２乃至４のいずれかに記載の画像形成装置。
【請求項６】
前記所定のジョブには、モノクロ画像を形成するジョブが含まれることを特徴とする請求項５に記載の画像形成装置。
【請求項７】
前記所定のジョブには、所定の解像度以下の解像度で画像を形成するジョブが含まれることを特徴とする請求項５又は６に記載の画像形成装置。
【請求項８】
前記所定のジョブには、所定のレポートを出力するジョブが含まれることを特徴とする請求項５乃至７のいずれかに記載の画像形成装置。
【請求項９】
前記給紙トレイは、第１の給紙トレイと、第２の給紙トレイとを含み、
前記所定の条件には、前記第１の給紙トレイから搬送される印刷媒体を前記第２の給紙トレイから搬送される印刷媒体より多く使用する所定のジョブの実行中に前記第２の給紙トレイにおける印刷媒体のエンプティ状態が検出されることによって当該所定のジョブの実行が中断し、前記第２の給紙トレイに印刷媒体が補充されることによって当該所定のジョブの実行が再開されることが含まれることを特徴とする請求項２乃至４のいずれかに記載の画像形成装置。
【請求項１０】
ユーザーの位置を検出するユーザー検出手段、
を更に備え、
前記所定の条件には、前記所定のジョブの実行が再開されるときに、前記ユーザー検出手段により当該画像形成装置の近傍位置でユーザーが検出されることが更に含まれることを特徴とする請求項５乃至９のいずれかに記載の画像形成装置。
【請求項１１】
前記ユーザー検出手段は、前記所定のジョブを投入したユーザーの位置を検出することを特徴とする請求項１０に記載の画像形成装置。
【請求項１２】
シート状の印刷媒体を収容する給紙トレイと、
前記給紙トレイから印刷媒体を１枚ずつ取り出して搬送する搬送手段と、
前記搬送手段によって搬送される印刷媒体が所定位置を通過する際に、印刷媒体の種類を判別する判別手段と、
前記判別手段によって判別される印刷媒体の種類に応じて前記搬送手段による印刷媒体の搬送速度を制御することが可能な制御手段と、
を備え、
前記制御手段は、前記給紙トレイにおける印刷媒体のエンプティ状態が検出された後、前記搬送手段によって補充後の印刷媒体の搬送動作が開始されるとき、前記搬送手段による印刷媒体の搬送速度を、前記エンプティ状態が検出された時点の搬送速度よりも低速である所定の搬送速度に設定することを特徴とする画像形成装置。
【請求項１３】
前記制御手段は、前記搬送手段による印刷媒体の搬送速度を前記エンプティ状態が検出された時点の搬送速度に設定した場合、前記所定のジョブの実行が完了するまで、前記エンプティ状態が検出された時点の搬送速度を維持することを特徴とする請求項５乃至１１のいずれかに記載の画像形成装置。
【請求項１４】
前記制御手段は、前記所定のジョブの実行が完了するまでに前記搬送手段においてジャムが発生した場合、その後の前記搬送手段による印刷媒体の搬送速度を、前記エンプティ状態が検出された時点の搬送速度よりも低速である所定の搬送速度に設定することを特徴とする請求項１３に記載の画像形成装置。
【請求項１５】
前記搬送手段によって搬送される印刷媒体に対して画像形成を行う画像形成手段と、
前記画像形成手段によって形成される画像の品質を検査する画像検査手段と、
を更に備え、
前記制御手段は、前記所定のジョブの実行が完了するまでに前記画像検査手段において検査される画像の品質が所定品質よりも低い場合、その後の前記搬送手段による印刷媒体の搬送速度を、前記エンプティ状態が検出された時点の搬送速度よりも低速である所定の搬送速度に設定することを特徴とする請求項１３又は１４に記載の画像形成装置。
【請求項１６】
前記制御手段は、前記搬送手段による印刷媒体の搬送速度を、前記エンプティ状態が検出された時点の搬送速度、又は、前記エンプティ状態が検出された時点の搬送速度よりも低速である所定の搬送速度に設定した後、前記搬送手段によって搬送される印刷媒体の種類が前記判別手段において判別された場合、前記判別手段によって判別される印刷媒体の種類に応じた搬送速度に設定変更することを特徴とする請求項１乃至１２のいずれかに記載の画像形成装置。
【請求項１７】
搬送される印刷媒体の種類を判別するか否かについてユーザーの選択を受け付ける判別実行選択手段、
を更に備え、
前記判別手段は、前記判別実行選択手段において印刷媒体の種類を判別することが選択されたときに、前記搬送手段によって搬送される印刷媒体の種類を判別することを特徴とする請求項１６に記載の画像形成装置。
【請求項１８】
前記判別手段は、前記給紙トレイにおける印刷媒体のエンプティ状態が検出され、印刷媒体が補充された後、前記搬送手段によって最初に搬送される印刷媒体の種類を判別することを特徴とする請求項１６に記載の画像形成装置。
【請求項１９】
シート状の印刷媒体を収容する給紙トレイを備える画像形成装置において、前記給紙トレイから搬送される印刷媒体の搬送速度を設定する搬送速度設定方法であって、
前記給紙トレイから印刷媒体を１枚ずつ取り出して搬送する搬送ステップと、
前記搬送ステップによって搬送される印刷媒体が所定位置を通過する際に、印刷媒体の種類を判別する判別ステップと、
前記判別ステップによって判別される印刷媒体の種類に応じて前記搬送ステップによる印刷媒体の搬送速度を制御する第１の制御ステップと、
前記給紙トレイにおける印刷媒体のエンプティ状態が検出された後、前記搬送ステップによって補充後の印刷媒体の搬送動作が開始されるとき、前記搬送ステップによる印刷媒体の搬送速度を、前記エンプティ状態が検出された時点の搬送速度に設定する第２の制御ステップと、
を有することを特徴とする搬送速度設定方法。
【請求項２０】
シート状の印刷媒体を収容する給紙トレイを備える画像形成装置によって実行されるプログラムであって、前記画像形成装置に、
前記給紙トレイから印刷媒体を１枚ずつ取り出して搬送する搬送ステップと、
前記搬送ステップによって搬送される印刷媒体が所定位置を通過する際に、印刷媒体の種類を判別する判別ステップと、
前記判別ステップによって判別される印刷媒体の種類に応じて前記搬送ステップによる印刷媒体の搬送速度を制御する第１の制御ステップと、
前記給紙トレイにおける印刷媒体のエンプティ状態が検出された後、前記搬送ステップによって補充後の印刷媒体の搬送動作が開始されるとき、前記搬送ステップによる印刷媒体の搬送速度を、前記エンプティ状態が検出された時点の搬送速度に設定する第２の制御ステップと、
を実行させることを特徴とするプログラム。
【発明の詳細な説明】
【技術分野】
【０００１】
本発明は、画像形成装置、搬送速度設定方法及びプログラムに関する。
【背景技術】
【０００２】
一般的な電子写真方式のＭＦＰ（Multifunction Peripherals）などの画像形成装置は、シート状の印刷媒体である用紙を給紙トレイから給紙して搬送しつつ、搬送されている用紙に、画像形成部において形成されたトナー像を転写することにより画像形成を行うことが可能である。その後定着部が、用紙に転写されたトナー像を加熱して加圧する定着処理を行うことにより、トナー像は用紙に定着される。
【０００３】
例えば、上記のような画像形成装置には、普通紙の他にも、薄紙や厚紙といった紙厚の異なる用紙に画像形成を行うことのできるものがある。また、用紙の搬送路に、搬送される用紙の紙厚を検出することのできる透過型の超音波センサを設け、その検出された紙厚に基づいて搬送される用紙の種類を判別する画像形成装置が知られている（例えば、特許文献１）。このように用紙種類判別手段を備える画像形成装置は、用紙種類判別の結果に応じて、搬送される用紙種類に適した転写電圧、加熱温度等のパラメータを自動的に設定することができる。
【先行技術文献】
【特許文献】
【０００４】
【特許文献１】特開２０１７−１９３３９０号公報
【発明の概要】
【発明が解決しようとする課題】
【０００５】
ところで、近年の画像形成装置には、用紙の搬送速度を可変設定できるものが存在する。例えば、用紙の搬送速度を速く設定すると、効率的に印刷出力を行うことができるようになり、印刷枚数が多いほど、ジョブの実行効率が上がる。しかし、その反面、用紙の搬送速度を速くしすぎると、ジャム（紙詰まり）が発生しやすくなる。ジャムが発生しやすくなる速度は、用紙種類に応じて異なり、用紙厚が厚くなるほど低くなるのが一般的である。
【０００６】
そのため、上述した従来技術のように用紙の搬送路にセンサを設けて用紙種類を自動判別することにより、画像形成装置は、用紙種類に応じた搬送速度を自動設定することができるようになる。特に、ユーザーによって用紙が補充された場合、どのような種類の用紙が補充されたかが不明である。そのため、ユーザーによって用紙が補充された場合、画像形成装置は、用紙の搬送速度をジャムの起こり得ない最低速度に設定して用紙を搬送し、その用紙搬送中に用紙の種類を自動判別する。そして、画像形成装置は、その後の用紙の搬送速度を用紙種類に応じた搬送速度に設定することで効率的な印刷出力を行うことが可能になる。
【０００７】
しかしながら、上記のようにユーザーによって用紙が補充された場合に用紙の搬送速度を毎回最低速度に設定すると、却ってジョブの実行効率を低下させてしまうことがある。例えば、ジョブの実行途中で用紙エンプティとなり、ユーザーによって用紙が補充された後にジョブの実行が再開されるときには、ジョブ中断前の用紙と同じ用紙が補充されていると推定することができ、用紙の搬送速度を最低速度に設定してしまうと、ジョブ再開後の処理を効率的に行うことができないという問題がある。
【０００８】
本発明は、上記課題を解決するためになされたものであり、給紙トレイにおける印刷媒体のエンプティ状態が検出された後、補充される印刷媒体の搬送速度を、給紙トレイにおけるエンプティ状態が検出された時点の搬送速度に設定することができる画像形成装置、搬送速度設定方法及びプログラムを提供することを目的とする。
【課題を解決するための手段】
【０００９】
上記目的を達成するため、請求項１に係る発明は、画像形成装置であって、シート状の印刷媒体を収容する給紙トレイと、前記給紙トレイから印刷媒体を１枚ずつ取り出して搬送する搬送手段と、前記搬送手段によって搬送される印刷媒体が所定位置を通過する際に、印刷媒体の種類を判別する判別手段と、前記判別手段によって判別される印刷媒体の種類に応じて前記搬送手段による印刷媒体の搬送速度を制御することが可能な制御手段と、を備え、前記制御手段は、前記給紙トレイにおける印刷媒体のエンプティ状態が検出された後、前記搬送手段によって補充後の印刷媒体の搬送動作が開始されるとき、前記搬送手段による印刷媒体の搬送速度を、前記エンプティ状態が検出された時点の搬送速度に設定することを特徴とする構成である。
【００１０】
請求項２に係る発明は、請求項１に記載の画像形成装置において、前記給紙トレイにおける印刷媒体のエンプティ状態が検出された後、前記搬送手段によって補充後の印刷媒体の搬送動作が開始されるときに、所定の条件が満たされているか否かを判定する条件判定手段、を更に備え、前記制御手段は、前記条件判定手段によって前記所定の条件が満たされていると判定された場合に、前記搬送手段による印刷媒体の搬送速度を、前記エンプティ状態が検出された時点の搬送速度に設定することを特徴とする構成である。
【００１１】
請求項３に係る発明は、請求項２に記載の画像形成装置において、前記制御手段は、前記条件判定手段によって前記所定の条件が満たされていないと判定された場合に、前記搬送手段による印刷媒体の搬送速度を、前記エンプティ状態が検出された時点の搬送速度よりも低速である所定の搬送速度に設定することを特徴とする構成である。
【００１２】
請求項４に係る発明は、請求項２又は３に記載の画像形成装置において、前記給紙トレイにおける印刷媒体のエンプティ状態が検出された後、前記給紙トレイに補充される印刷媒体の種類が変更されるか否かをユーザーに問い合わせて確認する確認手段、を更に備え、前記所定の条件には、前記確認手段によって前記給紙トレイに補充される印刷媒体の種類が変更されないことが確認されていることが含まれることを特徴とする構成である。
【００１３】
請求項５に係る発明は、請求項２乃至４のいずれかに記載の画像形成装置において、前記所定の条件には、所定のジョブの実行中に前記給紙トレイにおける印刷媒体のエンプティ状態が検出されることによって当該所定のジョブの実行が中断し、前記給紙トレイに印刷媒体が補充されることによって当該所定のジョブの実行が再開されることが含まれることを特徴とする構成である。
【００１４】
請求項６に係る発明は、請求項５に記載の画像形成装置において、前記所定のジョブには、モノクロ画像を形成するジョブが含まれることを特徴とする構成である。
【００１５】
請求項７に係る発明は、請求項５又は６に記載の画像形成装置において、前記所定のジョブには、所定の解像度以下の解像度で画像を形成するジョブが含まれることを特徴とする構成である。
【００１６】
請求項８に係る発明は、請求項５乃至７のいずれかに記載の画像形成装置において、前記所定のジョブには、所定のレポートを出力するジョブが含まれることを特徴とする構成である。
【００１７】
請求項９に係る発明は、請求項２乃至４のいずれかに記載の画像形成装置において、前記給紙トレイは、第１の給紙トレイと、第２の給紙トレイとを含み、前記所定の条件には、前記第１の給紙トレイから搬送される印刷媒体を前記第２の給紙トレイから搬送される印刷媒体より多く使用する所定のジョブの実行中に前記第２の給紙トレイにおける印刷媒体のエンプティ状態が検出されることによって当該所定のジョブの実行が中断し、前記第２の給紙トレイに印刷媒体が補充されることによって当該所定のジョブの実行が再開されることが含まれることを特徴とする構成である。
【００１８】
請求項１０に係る発明は、請求項５乃至９のいずれかに記載の画像形成装置において、ユーザーの位置を検出するユーザー検出手段、を更に備え、前記所定の条件には、前記所定のジョブの実行が再開されるときに、前記ユーザー検出手段により当該画像形成装置の近傍位置でユーザーが検出されることが更に含まれることを特徴とする構成である。
【００１９】
請求項１１に係る発明は、請求項１０に記載の画像形成装置において、前記ユーザー検出手段は、前記所定のジョブを投入したユーザーの位置を検出することを特徴とする構成である。
【００２０】
請求項１２に係る発明は、画像形成装置であって、シート状の印刷媒体を収容する給紙トレイと、前記給紙トレイから印刷媒体を１枚ずつ取り出して搬送する搬送手段と、前記搬送手段によって搬送される印刷媒体が所定位置を通過する際に、印刷媒体の種類を判別する判別手段と、前記判別手段によって判別される印刷媒体の種類に応じて前記搬送手段による印刷媒体の搬送速度を制御することが可能な制御手段と、を備え、前記制御手段は、前記給紙トレイにおける印刷媒体のエンプティ状態が検出された後、前記搬送手段によって補充後の印刷媒体の搬送動作が開始されるとき、前記搬送手段による印刷媒体の搬送速度を、前記エンプティ状態が検出された時点の搬送速度よりも低速である所定の搬送速度に設定することを特徴とする構成である。
【００２１】
請求項１３に係る発明は、請求項５乃至１１のいずれかに記載の画像形成装置において、前記制御手段は、前記搬送手段による印刷媒体の搬送速度を前記エンプティ状態が検出された時点の搬送速度に設定した場合、前記所定のジョブの実行が完了するまで、前記エンプティ状態が検出された時点の搬送速度を維持することを特徴とする構成である。
【００２２】
請求項１４に係る発明は、請求項１３に記載の画像形成装置において、前記制御手段は、前記所定のジョブの実行が完了するまでに前記搬送手段においてジャムが発生した場合、その後の前記搬送手段による印刷媒体の搬送速度を、前記エンプティ状態が検出された時点の搬送速度よりも低速である所定の搬送速度に設定することを特徴とする構成である。
【００２３】
請求項１５に係る発明は、請求項１３又は１４に記載の画像形成装置において、前記搬送手段によって搬送される印刷媒体に対して画像形成を行う画像形成手段と、前記画像形成手段によって形成される画像の品質を検査する画像検査手段と、を更に備え、前記制御手段は、前記所定のジョブの実行が完了するまでに前記画像検査手段において検査される画像の品質が所定品質よりも低い場合、その後の前記搬送手段による印刷媒体の搬送速度を、前記エンプティ状態が検出された時点の搬送速度よりも低速である所定の搬送速度に設定することを特徴とする構成である。
【００２４】
請求項１６に係る発明は、請求項１乃至１２のいずれかに記載の画像形成装置において、前記制御手段は、前記搬送手段による印刷媒体の搬送速度を、前記エンプティ状態が検出された時点の搬送速度、又は、前記エンプティ状態が検出された時点の搬送速度よりも低速である所定の搬送速度に設定した後、前記搬送手段によって搬送される印刷媒体の種類が前記判別手段において判別された場合、前記判別手段によって判別される印刷媒体の種類に応じた搬送速度に設定変更することを特徴とする構成である。
【００２５】
請求項１７に係る発明は、請求項１６に記載の画像形成装置において、搬送される印刷媒体の種類を判別するか否かについてユーザーの選択を受け付ける判別実行選択手段、を更に備え、前記判別手段は、前記判別実行選択手段において印刷媒体の種類を判別することが選択されたときに、前記搬送手段によって搬送される印刷媒体の種類を判別することを特徴とする構成である。
【００２６】
請求項１８に係る発明は、請求項１６に記載の画像形成装置において、前記判別手段は、前記給紙トレイにおける印刷媒体のエンプティ状態が検出され、印刷媒体が補充された後、前記搬送手段によって最初に搬送される印刷媒体の種類を判別することを特徴とする構成である。
【００２７】
請求項１９に係る発明は、シート状の印刷媒体を収容する給紙トレイを備える画像形成装置において、前記給紙トレイから搬送される印刷媒体の搬送速度を設定する搬送速度設定方法であって、前記給紙トレイから印刷媒体を１枚ずつ取り出して搬送する搬送ステップと、前記搬送ステップによって搬送される印刷媒体が所定位置を通過する際に、印刷媒体の種類を判別する判別ステップと、前記判別ステップによって判別される印刷媒体の種類に応じて前記搬送ステップによる印刷媒体の搬送速度を制御する第１の制御ステップと、前記給紙トレイにおける印刷媒体のエンプティ状態が検出された後、前記搬送ステップによって補充後の印刷媒体の搬送動作が開始されるとき、前記搬送ステップによる印刷媒体の搬送速度を、前記エンプティ状態が検出された時点の搬送速度に設定する第２の制御ステップと、を有することを特徴とする構成である。
【００２８】
請求項２０に係る発明は、シート状の印刷媒体を収容する給紙トレイを備える画像形成装置によって実行されるプログラムであって、前記画像形成装置に、前記給紙トレイから印刷媒体を１枚ずつ取り出して搬送する搬送ステップと、前記搬送ステップによって搬送される印刷媒体が所定位置を通過する際に、印刷媒体の種類を判別する判別ステップと、前記判別ステップによって判別される印刷媒体の種類に応じて前記搬送ステップによる印刷媒体の搬送速度を制御する第１の制御ステップと、前記給紙トレイにおける印刷媒体のエンプティ状態が検出された後、前記搬送ステップによって補充後の印刷媒体の搬送動作が開始されるとき、前記搬送ステップによる印刷媒体の搬送速度を、前記エンプティ状態が検出された時点の搬送速度に設定する第２の制御ステップと、
を実行させることを特徴とする構成である。
【発明の効果】
【００２９】
本発明によれば、給紙トレイにおける印刷媒体のエンプティ状態が検出された後、補充される印刷媒体の搬送速度を、給紙トレイにおけるエンプティ状態が検出された時点の搬送速度に設定することができる。
【図面の簡単な説明】
【００３０】
【図１】第１実施形態における画像形成装置の外観構成の一例を示す斜視図である。
【図２】第１実施形態における画像形成部及び用紙搬送機構の一例を示す図である。
【図３】第１実施形態における画像形成装置のハードウェア構成及び機能構成の一例を示す図である。
【図４】用紙種類テーブルの一例を示す図である。
【図５】トレイ設定の一例を示す図である。
【図６】設定条件情報の一例を示す図である。
【図７】搬送速度テーブルの一例を示す図である。
【図８】第１実施形態における画像形成装置において行われる処理手順の一例を示すフローチャートである。
【図９】第１実施形態における画像形成装置において行われる処理手順の一例を示すフローチャートである。
【図１０】第１実施形態における画像形成装置において行われる処理手順の一例を示すフローチャートである。
【図１１】第１実施形態における画像形成装置において行われる処理手順の一例を示すフローチャートである。
【図１２】第１実施形態における画像形成装置において行われる処理手順の一例を示すフローチャートである。
【図１３】用紙種類変更確認画面の一例を示す図である。
【図１４】第２実施形態における画像形成装置において行われる処理手順の一例を示すフローチャートである。
【図１５】第３実施形態における画像形成装置のハードウェア構成及び機能構成の一例を示す図である。
【図１６】第３実施形態における画像形成装置において行われる処理手順の一例を示すフローチャートである。
【図１７】第３実施形態における画像形成装置において行われる処理手順の一例を示すフローチャートである。
【図１８】第４実施形態における画像形成装置の用紙搬送機構の一例を示す図である。
【図１９】第４実施形態における画像形成装置のハードウェア構成及び機能構成の一例を示す図である。
【図２０】第４実施形態における画像形成装置において行われる処理手順の一例を示すフローチャートである。
【図２１】用紙種類判別実行確認画面の一例を示す図である。
【図２２】第６実施形態における画像形成装置において行われる処理手順の一例を示すフローチャートである。
【図２３】第６実施形態における画像形成装置において行われる処理手順の一例を示すフローチャートである。
【図２４】第７実施形態における画像形成装置において行われる処理手順の一例を示すフローチャートである。
【発明を実施するための形態】
【００３１】
以下、本発明に関する好ましい実施形態について図面を参照しつつ詳細に説明する。尚、以下に説明する実施形態において互いに共通する要素には同一符号を付しており、それらについての重複する説明は省略する。
【００３２】
（第１実施形態）
図１は、本実施形態における画像形成装置１の外観構成の一例を示す図である。この画像形成装置１は、例えばＭＦＰなどで構成され、プリンタ機能やスキャン機能、コピー機能などの複数の機能を備える。例えば、画像形成装置１は、ＬＡＮ（Local Area Network）などのネットワークに接続可能であり、ネットワーク経由で他のコンピュータから印刷ジョブを受信すると、プリンタ機能を動作させ印刷ジョブに含まれる画像データに基づいて印刷出力を行うことが可能である。
【００３３】
画像形成装置１は、装置本体の中央部に、画像データに基づいて用紙に画像形成を行うことにより、印刷出力を行うプリンタ部４を備えている。尚、本実施形態では、画像形成装置１が画像形成を行う印刷媒体として、印刷用紙などの用紙を例示する。しかし、印刷媒体は、用紙に限られるものではなく、例えば封筒やＯＨＰ用のプラスチックフィルムなどのシート状の印刷媒体であれば良い。画像形成装置１のプリンタ部４の下部には、プリンタ部４に対して用紙を１枚ずつ給紙するために設けられる複数の給紙トレイ５が設けられている。これらプリンタ部４および給紙トレイ５は、プリンタ機能、コピー機能又はＦＡＸ機能が選択されたときに作動する。給紙トレイ５から装置本体内部に設けられる搬送路に用紙が１枚ずつ給紙されると、プリンタ部４はその用紙に画像形成を行う。プリンタ部４において画像形成が行われた用紙は、さらに搬送路に沿って搬送され、プリンタ部４の上部に設けられた排紙部６に排出される。
【００３４】
上記のような画像形成装置１は、プリンタ部４および給紙トレイ５の内部側に、画像形成部と、用紙を搬送するための用紙搬送機構とが組み込まれている。図２は、画像形成装置１の内部に設けられる画像形成部１１及び用紙搬送機構１０の一例を示す図である。画像形成部１１は、図中矢印Ｆ１で示す方向に循環移動する転写ベルト２０を備えている。この画像形成部１１は後述する制御部によって指定される画像データに基づいて画像形成を行い、形成した画像を転写ベルト２０に転写する。
【００３５】
用紙搬送機構１０は、給紙用カセットなどで構成される複数の給紙トレイ５ａ，５ｂ，５ｃ，５ｄ及び手差しトレイ５ｅを備える給紙トレイ５から給紙される用紙を、搬送路１２に沿って図中矢印Ｆ２で示す方向に搬送して排紙口１８から排紙部６上に排出する。この搬送路１２には、複数の給紙ローラ１３ａ，１３ｂ，１３ｃ，１３ｄ，１３ｅを備える給紙ローラ１３と、レジストローラ１４と、搬送される用紙を検出する用紙検出センサ２４と、転写部１５と、定着部１６と、排出ローラ１７と、エンプティセンサ７０と、用紙種類判別部７１とが設けられている。給紙ローラ１３ａは給紙トレイ５ａに、給紙ローラ１３ｂは給紙トレイ５ｂに、給紙ローラ１３ｃは給紙トレイ５ｃに、給紙ローラ１３ｄは給紙トレイ５ｄに、給紙ローラ１３ｅは給紙トレイ５ｅにそれぞれ対応している。給紙ローラ１３は対応する給紙トレイにセットされる用紙を給紙する際に動作する。また、以下においては、複数の給紙トレイ５ａ，５ｂ，５ｃ，５ｄ，５ｅを特に区別しないときには、複数の給紙トレイ５ａ〜５ｅのうちの一の給紙トレイを指して給紙トレイ５と呼ぶことがある。複数の給紙ローラ１３ａ，１３ｂ，１３ｃ，１３ｄ，１３ｅについても、特に区別しないときには、複数の給紙ローラ１３ａ〜１３ｅのうちの一の給紙ローラを指して給紙ローラ１３と呼ぶことがある。
【００３６】
転写部１５は、トナー像と反対極性の転写電圧を搬送される用紙に印加する。これにより、トナー像は、転写ベルト２０から用紙に引き付けられることにより、用紙に転写される。尚、用紙に印加される転写電圧は、用紙の種類に応じて設定されるようになっている。ここで、用紙の種類に適した転写電圧が設定されない場合には、転写不良が発生する可能性がある。
【００３７】
定着部１６は、定着ローラ２２と、加圧ローラ２１とを備えている。定着ローラ２２は、ハロゲンヒータ等の定着ヒータ２３を内蔵している。定着ローラ２２は、トナー像が転写された用紙の画像形成面に接触して、用紙を所定の定着温度で加熱する。ここで、所定の定着温度は、用紙の種類に応じて設定されるようになっており、一般的に紙厚の大きい用紙ほど高い定着温度に設定される。加圧ローラ２１は、定着ローラ２２に対向して配置され、定着ローラ２２に所定の押圧力で押圧される。すなわち、加圧ローラ２１は、定着ローラ２２と共に、搬送される用紙を挟み込んで加圧する加圧部として機能する。搬送路１２に沿って搬送される用紙は、定着ローラ２２と加圧ローラ２１との間を通るよう構成される。搬送される用紙は、定着ローラ２２と加圧ローラ２１との間を通過するときに、加熱加圧処理を受け、用紙に転写されたトナー像が定着される。
【００３８】
エンプティセンサ７０は、給紙ローラ１３のすぐ下流の位置に設けられ、給紙トレイ５がエンプティ状態であることを検出することが可能なセンサである。エンプティセンサ７０は、ジョブが実行されているにも関わらず給紙トレイ５から給紙される用紙を検出できない場合に、給紙トレイ５がエンプティ状態であることを検出する。エンプティセンサ７０は、エンプティ状態を検出すると、エンプティ検出信号を制御部に出力する。
【００３９】
用紙種類判別部７１は、透過型の超音波センサなどを備え、給紙ローラ１３のすぐ下流の位置に設けられる。用紙種類判別部７１は、制御部の指示によって機能し、用紙種類判別を行う。用紙種類判別部７１は、透過型の超音波センサを動作させて所定位置を通過する用紙の紙厚を検出する。用紙種類判別部７１は、検出した紙厚に基づいて用紙の種類を判別することが可能であり、その判別結果を制御部に出力する。用紙種類判別部７１が行う用紙種類判別の詳細については後述する。
【００４０】
用紙搬送機構１０は、ジョブの実行に伴い給紙ローラ１３を動作させ、給紙トレイ５に補充された用紙を１枚ずつ取り出して搬送路１２に供給する。用紙搬送機構１０は、給紙トレイ５から給紙した用紙を搬送路１２に沿って搬送し、用紙検出センサ２４がその用紙の先端を検出すると、その用紙がレジストローラ１４に到達するタイミングで用紙の搬送動作を一旦停止させる。そして転写ベルト２０に転写された画像が転写部１５の転写位置に到達するタイミングに合わせてレジストローラ１４を駆動して用紙を転写部１５へ送り出す。そして転写部１５を駆動して用紙に画像を転写させる。その後、その用紙は定着部１６を通過することで画像を定着し、排出ローラ１７によって排紙口１８から排紙部６上に排出される。
【００４１】
このような用紙搬送機構１０が用紙を搬送する際の搬送速度は、制御部によって制御される。本実施形態の画像形成装置１は、給紙トレイ５に補充される用紙のエンプティ状態を検出後、用紙が補充されて搬送を開始するとき、所定の条件下において用紙の搬送速度をエンプティ状態が検出された時点の搬送速度に設定する。すなわち、本実施形態の画像形成装置１は、所定の条件下において、エンプティ状態が検出された前後で同じ搬送速度となるように、エンプティ状態が解除された後に搬送される用紙の搬送速度を設定する。エンプティ状態が検出された時点の搬送速度は、基本的にはエンプティ状態が検出されるまで給紙トレイ５に補充されていた用紙の種類に適した搬送速度である。そのため、本実施形態の画像形成装置１は、用紙が補充された後に搬送開始される用紙の搬送速度を最低速度にする場合と比べて、印刷時間を短いものとすることが可能である。以下、このような画像形成装置１についてさらに詳しく説明する。
【００４２】
図３は、画像形成装置１のハードウェア構成及び機能構成の一例を示す図である。画像形成装置１はその構成として、上述したプリンタ部４、エンプティセンサ７０及び用紙種類判別部７１の他に、スキャナ部２と、ＦＡＸ部７と、ネットワークインタフェース３１と、操作パネル３２と、記憶部３５と、制御部４０と、ユーザー検出部７２とを備えている。
【００４３】
ネットワークインタフェース３１は、画像形成装置１をＬＡＮなどのネットワークに接続するためのインタフェースである。画像形成装置１は、このネットワークインタフェース３１を介して、ユーザーが所持するコンピュータなどと通信を行う。尚、ネットワークインタフェース３１には、ユーザーが所持する携帯端末などと無線通信を行う無線通信部が搭載されていても構わない。
【００４４】
操作パネル３２は、表示部３３と、操作部３４とを備えている。表示部３３は、例えばカラー液晶ディスプレイなどで構成され、ユーザーが操作可能な各種画面を表示する。操作部３４は、例えば表示部３３の表示画面上に配置されるタッチパネルキーと、表示部３３の表示画面の周囲に配置される押しボタンキーとを備えて構成され、ユーザーによる操作を受け付ける。
【００４５】
スキャナ部２は、ユーザーによって補充された原稿の画像を光学的に読み取って画像データを生成するものである。また、スキャナ部２は、図示しない原稿搬送部を備えている。原稿搬送部は、ユーザーによって補充される原稿を図示しない原稿搬送部から１枚ずつ取り出してスキャナ部２の原稿読み取り位置へ自動搬送する。
【００４６】
上述したプリンタ部４は、制御部４０の指示に基づいて用紙に画像形成を行うことにより、印刷出力を行うためのものである。プリンタ部４は、上述した、複数の給紙トレイ５と、用紙搬送機構１０と、画像形成部１１とを備えている。
【００４７】
ＦＡＸ部７は、図示を省略する公衆電話回線を介してＦＡＸデータの送受信を行うためのものである。
【００４８】
記憶部３５は、ハードディスクドライブ（ＨＤＤ）やソリッドステートドライブ（ＳＳＤ）などによって構成される不揮発性の記憶装置である。この記憶部３５には、様々なプログラムやデータなどが記憶され、例えば、図３に示すように、プログラム６０、用紙種類テーブル６１、トレイ設定６２、設定条件情報６３、搬送速度テーブル６４などが記憶される。
【００４９】
用紙種類テーブル６１は、用紙の紙厚と、用紙種類とが関連付けられたテーブルである。図４は、用紙種類テーブル６１の一例を示す図である。図４に示すように、用紙種類テーブル６１は、用紙の紙厚毎に対応する用紙種類を関連付けている。このような用紙種類テーブル６１は、用紙種類判別部７１によって用紙種類判別が行われる際に参照される。
【００５０】
次に、用紙種類判別部７１が行う用紙種類判別について説明する。用紙種類判別部７１は、用紙種類判別を開始すると、搬送される用紙の紙厚を検出する。その後、用紙種類判別部７１は、用紙種類テーブル６１を参照し、検出した用紙の紙厚に対応する用紙種類を特定する。搬送される用紙の種類を特定した後、用紙種類判別部７１は、判別結果を後述するトレイ設定管理部４５に出力する。
【００５１】
図３に戻り、トレイ設定６２は、複数ある給紙トレイ５ａ〜５ｅの各トレイに補充される用紙に関する設定である。トレイ設定６２は、トレイ設定管理部４５によって管理される。また、設定条件情報６３は、上述した所定の条件を定義した情報である。搬送速度テーブル６４は、用紙種類と、用紙種類に適した搬送速度とが関連付けられたテーブルである。トレイ設定６２、設定条件情報６３及び搬送速度テーブル６４は、後述する搬送速度決定部４２によって用紙の搬送速度が設定される際に参照される。
【００５２】
制御部４０は、図示を省略するＣＰＵやメモリなどを備えて構成される。ＣＰＵは、プログラム６０を実行するためのものであり、メモリは、ＣＰＵがプログラム６０を実行する際に発生する一時的なデータなどを記憶するためのものである。
【００５３】
制御部４０のＣＰＵは、画像形成装置１に電源が投入されることにより、記憶部３５からプログラム６０を読み出して実行する。これにより、制御部４０は、ジョブ受付部４１、搬送速度決定部４２、搬送速度制御部４３、判別制御部４４、トレイ設定管理部４５として機能する。上述したように、これら各部は、給紙トレイ５の用紙のエンプティ状態が検出された後に、給紙トレイ５に補充される用紙の搬送速度を、設定条件情報６３により定義される所定の条件が満たされている場合に、エンプティ状態が検出された時点の搬送速度に設定するように機能する。以下、これらの各部の詳細について説明する。
【００５４】
ジョブ受付部４１は、ユーザーによって投入されるジョブを受け付ける処理部である。ジョブ受付部４１は、ジョブを受け付けると、そのジョブのヘッダーデータなどに含まれるユーザー識別情報を抽出する。ユーザー識別情報は、ジョブを投入したユーザーを識別するための情報であり、例えばユーザー名やユーザーＩＤなどである。そしてジョブ受付部４１は、そのユーザー識別情報を搬送速度決定部４２へ出力する。
【００５５】
トレイ設定管理部４５は、トレイ設定６２を管理する処理部である。図５は、トレイ設定６２の一例を示す図である。トレイ設定６２には、複数のトレイに補充される用紙が設定可能であり、図５に示す例では、トレイ１〜４及び手差しトレイに補充される用紙が設定されている。そしてトレイ設定６２は、それらの各トレイに設定される項目として、各トレイに補充される用紙のサイズが設定されるサイズ設定欄１１１と、各トレイに補充される用紙の補充方向が設定される方向設定欄１１２と、各トレイに補充される用紙種類が設定される用紙種類設定欄１１３と、用紙種類判別が行われたか否かを示す判別実行欄１１４とを有している。このようなトレイ設定６２は、ユーザーが操作パネル３２に対して、又はネットワークを介して画像形成装置１と接続されるコンピュータに対して、所定の操作を行うことによって設定可能である。
【００５６】
トレイ設定管理部４５は、以下の３つの場合において、トレイ設定６２を更新する。ユーザーによってトレイ設定６２を変更する操作が行われた場合、トレイ設定管理部４５は、ユーザーの操作を反映させてトレイ設定６２を更新する。例えばユーザーによってトレイ１に対応する用紙種類設定を「普通紙」から「厚紙１」に変更する操作が行われた場合、レイ設定管理部４５は、用紙種類設定欄１１３をユーザーの操作に基づいて変更する。用紙種類設定欄１１３に対する変更に伴い、トレイ設定管理部４５は、判別実行欄１１４を「実行済」から「未実行」に変更してトレイ設定６２を更新する。このように用紙種類が変更される場合には、用紙厚が変更されていることが考えられるため、再度用紙種類判別を行う必要があるためである。トレイ設定管理部４５は、用紙種類判別部７１から用紙種類判別の結果情報を入力した場合にも、結果情報を反映させてトレイ設定６２を更新する。トレイ設定６２における用紙種類と、結果情報に含まれる用紙種類とが一致する場合、トレイ設定管理部４５は、用紙種類設定欄１１３を変更せずに、判別実行欄１１４を「実行済」にしてトレイ設定６２を更新する。一方、トレイ設定６２における用紙種類と、結果情報に含まれる用紙種類とが一致しない場合、トレイ設定管理部４５は、結果情報に含まれる用紙種類に応じて用紙種類設定欄１１３を変更し、判別実行欄１１４を「実行済」にしてトレイ設定６２を更新する。また、トレイ設定管理部４５は、エンプティセンサ７０からエンプティ検出信号を入力した場合、判別実行欄１１４を「未実行」にしてトレイ設定６２を更新する。ここで、トレイ設定６２の判別実行欄１１４が「未実行」である状態は、給紙トレイ５における用紙のエンプティ状態が検出された後に、当該給紙トレイ５から給紙される用紙に対する用紙種類判別が実行されていない状態である。
【００５７】
搬送速度決定部４２は、ジョブの実行に伴って用紙が搬送される際の搬送速度を設定する処理部である。ジョブの実行開始時、ジョブの再開時又はトレイ設定６２が更新された時等のタイミングで搬送速度を設定する。搬送速度決定部４２は、搬送速度を設定する際、トレイ設定６２を参照して、搬送される用紙が補充された給紙トレイ５の用紙種類設定欄１１３、判別実行欄１１４を確認する。判別実行欄１１４が「実行済」である場合、搬送速度決定部４２は、搬送される用紙の種類とトレイ設定６２における用紙種類とが一致すると判断する。次に搬送速度決定部４２は、搬送速度テーブル６４を参照し、トレイ設定６２における用紙種類に適した搬送速度を設定する。図６は、搬送速度テーブル６４の一例を示す図である。図６に示すように、搬送速度テーブル６４は、用紙種類と用紙種類に適した搬送速度を関連付けている。ここで、搬送速度Ｖ１は、搬送速度Ｖ２、搬送速度Ｖ３及び搬送速度Ｖ４より高速であり、搬送速度Ｖ２は搬送速度Ｖ３及び搬送速度Ｖ４より高速であり、搬送速度Ｖ３は搬送速度Ｖ４より高速である。一般的に、用紙の紙厚が小さいほど、速い搬送速度で搬送することが可能である。例えば、トレイ設定６２における用紙種類が「普通紙」である場合、搬送速度決定部４２は、搬送速度をＶ２に設定する。
【００５８】
次に、トレイ設定６２において、搬送される用紙が補充された給紙トレイ５の判別実行欄１１４が「未実行」である場合について説明する。基本的に、搬送速度決定部４２は、トレイ設定６２を参照して、搬送される用紙が補充された給紙トレイ５の判別実行欄１１４が「未実行」である場合、搬送速度をトレイ設定６２における用紙種類に適した搬送速度に設定しない。搬送される用紙の種類と、トレイ設定６２における用紙種類が一致するかが不明なためである。このような場合に、搬送速度決定部４２は、搬送速度を、設定可能な搬送速度のうちの最低速度（例えば搬送速度Ｖ４）に設定する。ジャムが発生する可能性を低くするためである。しかし、本実施形態の搬送速度決定部４２は、所定の条件を満たす場合に、搬送速度を最低速度に設定するのではなく、エンプティ状態が検出された時点の搬送速度に設定する。
【００５９】
搬送速度決定部４２は、トレイ設定６２を参照して、搬送される用紙が補充された給紙トレイ５の判別実行欄１１４が「未実行」である場合、設定条件情報６３を参照し、所定の条件を満たすか否かを判定する。これら所定の条件を満たす場合には、給紙トレイ５に補充された用紙の種類とトレイ設定６２における用紙種類とが一致する可能性が高いと考えられる。設定条件情報６３は、このような所定の条件を定義した情報である。搬送速度決定部４２は、設定条件情報６３によって定義される所定の条件を満たす場合に、用紙の搬送速度をエンプティ状態が検出された時点の搬送速度に設定する。設定条件情報６３によって定義される所定の条件を満たす場合には、給紙トレイ５に補充される用紙の種類が、エンプティ状態が検出された時点のトレイ設定６２における用紙種類と一致する可能性が高い。そこで、搬送速度決定部４２は、搬送速度を最低速度に設定するのではなく、エンプティ状態が検出された時点のトレイ設定６２における用紙種類に適した搬送速度、すなわちエンプティ状態が検出された時点の搬送速度に設定するのである。そうすることにより、本実施形態の画像形成装置１は、給紙トレイ５に用紙が補充された後の搬送速度が最低速度に設定される場合と比べて、印刷時間を短縮することが可能である。以下、所定の条件の詳細について説明する。
【００６０】
図７は、設定条件情報６３の一例を示す図である。図７に示すように設定条件情報６３には、メイン条件１２０と、メイン条件１２０に付属するサブ条件１２１ａ〜１２１ｅとが定義として規定される。メイン条件１２０には、「ジョブの実行中にエンプティ状態となったジョブが再開されたこと」が条件として規定される。搬送速度決定部４２は、用紙の搬送速度を決定するタイミングが、エンプティ状態が検出されることにより中断されたジョブの再開時である場合、メイン条件１２０を満たすと判断する。このメイン条件１２０を満たすと判断される場合、エンプティ状態が検出された時点でトレイ設定６２に規定されている用紙種類と同じ種類の用紙が給紙トレイ５に補充される可能性が高い。そこで、搬送速度決定部４２は、搬送速度をエンプティ状態が検出された時点の搬送速度に設定する。このように、エンプティ状態が検出された時点の搬送速度を設定することで、ジャム発生の可能性を高くすることなく、印刷時間を短縮させることが可能である。一方、搬送速度決定部４２は、メイン条件１２０を満たしていないと判断すると、搬送速度を最低速度に設定する。その後、搬送速度決定部４２は、メイン条件１２０を満たしていると判断すると、サブ条件１２１が設定されているか否かを確認する。
【００６１】
複数のサブ条件１２１は、メイン条件１２０に付属する条件であり、メイン条件１２０を限定する条件である。メイン条件１２０を満たしていると判断した場合、搬送速度決定部４２は、サブ条件１２１を満たすか否かを判断する。搬送速度決定部４２は、サブ条件１２１を満たしていると判断すると、搬送速度をエンプティ状態が検出された時点の搬送速度に設定する。本実施形態において、サブ条件１２１が複数設定されている場合、搬送速度決定部４２は、複数のサブ条件１２１のうち少なくとも１つの条件を満たしているか否かを判断する。複数のサブ条件１２１のうち少なくとも１つの条件を満たしていると判断した場合、搬送速度決定部４２はエンプティ状態が検出された時点の搬送速度に設定する。ただし、これに限られるものでなく、サブ条件１２１が複数設定されている場合、搬送速度決定部４２は、複数のサブ条件１２１の全ての条件を満たしているか否かを判断しても良い。この場合においても、搬送速度決定部４２はエンプティ状態が検出された時点の搬送速度に設定する。以下、サブ条件１２１の詳細について説明する。
【００６２】
サブ受験１２１ａは、補充された用紙の種類とトレイ設定６２における用紙の種類とが一致する可能性をより高いものとするために、中断されたジョブの再開時の状況を限定する条件である。図７に示すように、サブ条件１２１ａには、「ジョブ再開時にジョブを投入したユーザーが近傍に存在すること」が条件として規定される。ジョブの再開時にジョブを投入したユーザーが近傍に存在するということは、ジョブを投入したユーザーによって用紙補充がなされた可能性が高いと考えられる。通常、ジョブを投入したユーザーは、ジョブが中断されるまでに使用していた用紙の種類を知っているため、ジョブを投入したユーザーが補充した用紙の種類と、トレイ設定６２における用紙種類とが一致する可能性は極めて高い。このようなサブ条件１２１ａが規定されることにより、補充された用紙の種類と、トレイ設定６２における用紙種類とが一致する可能性がより高くなるのである。搬送速度決定部４２は、ジョブ受付部４１から入力するユーザー識別情報をユーザー検出部７２に出力すると共に、ジョブを投入したユーザーが画像形成装置１の近傍に存在するか否かをユーザー検出部７２に確認する。確認の結果、搬送速度決定部４２は、ユーザー検出部７２からユーザーを検出した旨の信号を入力した場合、サブ条件１２１ａを満たしていると判断する。
【００６３】
ユーザー検出部７２は、画像形成装置１を中心とする所定の範囲内に存在するジョブを投入したユーザーを検出する。例えば、ユーザー検出部７２は、所定の範囲内に存在するユーザーが所持しているＩＣ（Integrated Circuit）カードから、当該ＩＣカードに登録されるユーザー識別情報を検出する。また、搬送速度決定部４２は、ジョブ受付部４１より受け付けたユーザー識別情報をユーザー検出部７２に出力する。ユーザー検出部７２は、検出したユーザー識別情報と、搬送速度決定部４２から入力したユーザー識別情報とを照らし合わせて、所定の範囲内に存在するユーザーがジョブを投入したユーザーであるかを確認する。ユーザー検出部７２は、所定の範囲内に存在するユーザーがジョブを投入したユーザーであった場合に、ジョブを投入したユーザーを検出したことを知らせる信号を搬送速度決定部４２に出力する。尚、ビーコン発信機及びビーコン受信機を用いて、オフィス内におけるユーザーの現在位置を特定するシステムを導入しているオフィスなどであれば、ユーザー検出部７２は、ユーザーの位置情報を管理するサーバーなどの情報処理装置にアクセスすることでジョブを投入したユーザーを検出するものでもよい。
【００６４】
次にサブ条件１２１ｂ〜１２１ｅについて説明する。サブ条件１２１ｂ〜ｅは、補充された用紙とトレイ設定６２の用紙種類とが一致しない場合であっても、画質低下が問題とならないようにするために、中断されたジョブを所定のジョブに限定する条件である。図７に示すように、サブ条件１２１ｂには、「モノクロ印刷のみを行うジョブであること」が条件として規定されている。上述のように、搬送速度決定部４２がメイン条件１２０を満たしていると判断した場合、補充された用紙の種類とトレイ設定６２における用紙種類とが一致する可能性が高い。しかし、補充された用紙とトレイ設定６２の用紙種類とが確実に一致する訳ではない。そこで、用紙種類が一致しなかった場合であっても、異なる種類の用紙を補充したり、トレイ設定６２を変更したりして再度ジョブを投入する等のユーザーの負担を減らすことが可能な条件を規定しておくことが望ましい。補充された用紙の種類に適さない搬送速度が設定されていた場合には、定着部１６による加熱加圧処理が行われる時間が短くなり、画質の低下が起こる可能性がある。しかし、画質が悪くてもユーザーが気にならないような内容の印刷物であれば、再度ジョブを投入する必要がなく、ユーザーの負担は発生しない。そこで、画質が悪くても問題とならないような画像を形成するジョブであることをサブ条件１２１とすることで、用紙種類が一致しなかった場合であっても、再度ジョブを投入する等のユーザーの負担を減らすことが可能である。カラー印刷を行うジョブと比較して、モノクロ印刷のみを行うジョブであれば、画質の低下が発生しても、ユーザーは気にならないことが多い。したがって、「モノクロ印刷のみを行うジョブであること」を条件としたサブ条件１２１ｂが規定されることにより、用紙種類が一致しなかった場合であっても、再度ジョブを投入する等の必要が無く、ユーザーの負担を減らすことが可能である。搬送速度決定部４２は、投入されたジョブに含まれる画像データ又はヘッダーデータを解析することにより、当該ジョブがモノクロ印刷のみを行うジョブであるか否かを判断する。例えば、ヘッダーデータに含まれる印刷設定情報において、モノクロ印刷設定がなされている場合、搬送速度決定部４２は、サブ条件１２１ｂを満たすと判断する。
【００６５】
次に、サブ条件１２１ｃについて説明する。図７に示すように、サブ条件１２１ｃには、「解像度が所定の解像度以下のジョブであること」が条件として規定されている。このサブ条件１２１ｃはサブ条件１２１ｂと同様に、画質が悪くてもユーザーが気にならないような内容の印刷物を出力するジョブであることを条件としている。所定の解像度以下で画像を形成するジョブであれば、高い解像度で画像を形成するジョブと比較して、画質の低下が発生してもユーザーは気にならないことが多い。したがって、「解像度が所定の解像度以下のジョブであること」を条件としたサブ条件１２１ｃが規定されることより、用紙種類が一致しなかった場合であっても、再度ジョブを投入する等の必要が無く、ユーザーの負担を減らすことが可能である。搬送速度決定部４２は、投入されたジョブに含まれる画像データ又はヘッダーデータを解析することにより、解像度が所定の解像度以下のジョブであるか否かを判断する。例えば、ヘッダーデータに含まれる印刷設定情報において、所定の解像度以下の解像度設定がなされている場合、搬送速度決定部４２は、サブ条件１２１ｃを満たすと判断する。
【００６６】
次に、サブ条件１２１ｄについて説明する。図７に示すように、サブ条件１２１ｄには、「文字のみの画像形成を行うジョブであること」が条件として規定されている。このサブ条件１２１ｃはサブ条件１２１ｂ，１２１ｃと同様に、画質が悪くてもユーザーが気にならないような内容の印刷物を出力するジョブであることを条件としている。文字のみの画像形成を行うジョブであれば、印刷された文字を読むことさえできれば構わないことが多い。したがって、「文字のみの画像形成を行うジョブであること」を条件としたサブ条件１２１ｄが規定されることにより、用紙種類が一致しなかった場合であっても、再度ジョブを投入する等のユーザーの負担を減らすことが可能である。搬送速度決定部４２は、投入されたジョブに含まれる画像データ又はヘッダーデータを解析することにより、文字のみの画像形成を行うジョブであるか否かを判断する。例えば、ヘッダーデータに含まれるドキュメント情報がそのドキュメントは文字入力のみを行うアプリケーションによって作成されていることを示す場合、搬送速度決定部４２は、サブ条件１２１ｄを満たすと判断する。
【００６７】
次に、サブ条件１２１ｅについて説明する。図７に示すように、サブ条件１２１ｅには、「２つの給紙トレイを使用するジョブであって、用紙使用量の少ない給紙トレイにおいてエンプティ状態を検出していること」が条件として規定されている。このサブ条件１２１ｅはサブ条件１２１ｂ〜１２１ｄと同様に、画質が悪くてもユーザーが気にならないような内容の印刷物を出力するジョブであることを条件としている。ジョブの中には、２つの給紙トレイ５を使用するジョブがある。このようなジョブにおいては、２つの給紙トレイ５のうちの一方の給紙トレイ５に補充された用紙は、そのジョブのメイン印刷物用に使用され、他方の給紙トレイ５に補充された用紙はサブ印刷物用に使用されることが多い。ここで、メイン印刷物とは、例えば報告書や配布資料などの印刷物のことをいう。サブ印刷物は、例えば配布資料が複数部数印刷される場合に、複数部数ある配付資料を部数単位で区別するために挿入されたりする印刷物のことをいう（以下「合紙」と称する）。合紙は複数部数ある配布資料を部数単位で区別するために挿入されるものであるため、配布資料などのメイン印刷物用に使用される用紙より少ないことが一般的である。また、このような合紙は、合紙に形成される画像自体に品質が求められない場合が多い。したがって、「２つの給紙トレイを使用するジョブであって、用紙使用量の少ない給紙トレイにおいてエンプティ状態を検出していること」を条件としたサブ条件１２１ｅが規定されることにより、用紙種類が一致しなかった場合であっても、再度ジョブを投入する等の必要がなく、ユーザーの負担を減らすことが可能である。搬送速度決定部４２は、投入されたジョブに含まれるヘッダーデータを解析することにより、２つの給紙トレイを使用するジョブであるか否かを確認する。例えば、ヘッダーデータに含まれる印刷設定情報が合紙を出力する設定がなされていることを示す場合、搬送速度決定部４２は、２つの給紙トレイ５を使用するジョブであると判断する。次に搬送速度決定部４２は、エンプティ状態が検出された給紙トレイ５には、合紙に使用される用紙が補充されているか否かを確認する。合紙に使用される用紙が補充された給紙トレイ５においてエンプティ状態が検出されていた場合、搬送速度決定部４２は、サブ条件１２１ｅを満たすと判断する。
【００６８】
ここまでメイン条件１２０及び複数のサブ条件１２１ａ〜１２１ｅについて説明したが、これらの条件に限られるものではない。ユーザーや管理者が操作パネル３２に対して、又は、ネットワークを介して画像形成装置１と接続されるコンピュータに対して所定の操作を行うことで、例示した条件とは異なる条件を設定することが可能である。例えば、サブ条件１２１として、中断されたジョブが、ＦＡＸデータ受信に伴う印刷ジョブであることを設定してもよい。また、中断されたジョブが、画像形成装置１の状態をユーザーに示すためのレポートを出力する印刷ジョブであることをサブ条件１２１として設定してもよい。さらに、中断されたジョブが、画像形成装置１のジョブ履歴、送信履歴などをユーザーに示すためのレポートを出力する印刷ジョブであることをサブ条件１２１として設定してもよい。例示したこれらのジョブは、文字を読むことができれば、多少画質が悪くとも問題がないことが多いからである。
【００６９】
以上のように、搬送速度決定部４２は、トレイ設定６２の判別実行欄１１４が「未実行」の場合であっても、所定の条件を満たすと判断すれば、エンプティ状態が検出された時点の搬送速度に設定する。そうすることにより、本実施形態の画像形成装置１は、給紙トレイ５に用紙が補充された後の搬送速度を最低速度に設定する場合と比べて、印刷時間を短縮することが可能である。
【００７０】
搬送速度制御部４３は、搬送速度決定部４２によって設定される搬送速度に基づいて、用紙搬送機構１０を制御する処理部である。
【００７１】
判別制御部４４は、用紙種類判別部７１を制御することにより用紙種類判別を実行させる処理部である。本実施形態の判別制御部４４は、給紙トレイ５におけるエンプティ状態が検出され用紙が補充された後、用紙搬送機構１０によって最初に搬送される用紙の種類を判別するように用紙種類判別部７１を制御する。用紙補充後に最初に搬送される用紙に対して用紙種類判別が行われることで、補充された用紙の種類をすぐに判別することが可能となる。
【００７２】
次に画像形成装置１における具体的な動作の一例について説明する。図８は画像形成装置１において行われる処理手順の一例を示すフローチャートである。この処理は画像形成装置１がジョブを受け付けることによって開始される。画像形成装置１は、ジョブを受け付けると（ステップＳ１）、ジョブ開始処理を実行する（ステップＳ２）。このジョブ開始処理では、ジョブ開始時の搬送速度が設定され、用紙の搬送が開始される。ジョブ開始処理の詳細については後述する。ジョブ開始処理が実行され、用紙の搬送が開始されると、画像形成装置１は、給紙トレイ５におけるエンプティ状態が検出されたか否かを確認する（ステップＳ３）。エンプティ状態が検出されていない場合（ステップＳ３でＮＯ）、処理はステップＳ８までスキップする。一方、エンプティ状態が検出された場合（ステップＳ３でＹＥＳ）、画像形成装置１はジョブを中断する（ステップＳ４）。次に画像形成装置１は、用紙が補充されたか否かを確認し（ステップＳ５）、用紙が補充されていればジョブ再開処理を実行する（ステップＳ６）。ジョブ再開処理は、ジョブ再開時の搬送速度を設定して用紙の搬送を再開する処理である。ジョブ再開処理の詳細については後述する。ジョブ再開処理が実行され、用紙の搬送が再開されると、画像形成装置１は、用紙種類判別処理を実行する（ステップＳ７）。用紙種類判別処理は、搬送される用紙の種類を判別してトレイ設定６２を更新する処理である。用紙種類判別処理の詳細については後述する。用紙種類判別処理を実行した後、画像形成装置１は、ジョブが終了したか否かを確認し（ステップＳ８）、ジョブが終了していれば（ステップＳ８でＹＥＳ）、処理を終了する。一方、ジョブが終了していなければ（ステップＳ８でＮＯ）、ステップＳ３〜Ｓ７の処理を繰り返す。
【００７３】
次に、ジョブ開始処理（ステップＳ２）の詳細な処理手順について説明する。図９は、ジョブ開始処理（ステップＳ２）の詳細な処理手順の一例を示すフローチャートである。画像形成装置１はジョブ開始処理を開始すると、記憶部３５に記憶されるトレイ設定６２を確認する（ステップＳ２０）。尚、本実施形態においては、ジョブ開始時にトレイ設定６２に設定される各給紙トレイ５に対応する判別実行欄１１４は「実行済」となっている場合について説明する。画像形成装置１は、ジョブのヘッダー情報などに含まれるトレイ情報に基づいてトレイ設定６２を確認する。画像形成装置１は、トレイ設定６２を参照し、ジョブで指定されたトレイに対応する用紙種類を判定する。その後、画像形成装置１は、搬送速度テーブル６４を参照し、判定した用紙種類に対応する搬送速度を設定する（ステップＳ２１）。搬送速度を設定した後、画像形成装置１は用紙の搬送を開始する（ステップＳ２２）。以上で、ジョブ開始処理（ステップＳ２）が終了する。
【００７４】
次に、ジョブ再開処理（ステップＳ６）の詳細な処理手順について説明する。図１０は、ジョブ再開処理（ステップＳ６）の詳細な処理手順の一例を示すフローチャートである。画像形成装置１は、ジョブ再開処理を開始すると、記憶部３５に記憶される設定条件情報６３を参照し、サブ条件１２１が設定されているか否かを確認する（ステップＳ３０）。サブ条件１２１が設定されていない場合（ステップＳ３０でＮＯ）、処理はステップＳ３３に進む。一方、サブ条件１２１が設定されている場合（ステップＳ３０でＹＥＳ）、画像形成装置１は条件判定処理を実行する（ステップＳ３１）。条件判定処理とは、設定条件情報６３に定義されるサブ条件１２１を満たすか否かを判定する処理である。ここで、メイン条件１２０を満たすか否かを判定しないのは、ジョブ再開処理が行われている時点で、メイン条件１２０である「ジョブ実行中にエンプティ状態となったジョブが再開されたこと」を満たすからである。条件判定処理の詳細については後述する。条件判定処理を実行した後、画像形成装置１は設定条件情報６３に設定されている所定の条件を満たすかどうかを判断する（ステップＳ３２）。所定の条件を満たしていると判断した場合（ステップＳ３２でＹＥＳ）、画像形成装置１は、搬送速度をエンプティ状態が検出された時点の搬送速度に設定する（ステップＳ３３）。所定の条件を満たす場合には、エンプティ検出時点の速度が、補充された用紙の種類に適した搬送速度である可能性が高いからである。一方、所定条件を満たさないと判断した場合（ステップＳ３２でＮＯ）、画像形成装置１はジョブ再開時に適用する搬送速度を、エンプティ検出時点の搬送速度より低速である最低速度（搬送速度Ｖ４）に設定する（ステップＳ３４）。所定の条件を満たさない場合には、エンプティ検出時点の搬送速度が、補充された用紙の種類に適した搬送速度である可能性が、所定の条件を満たした場合と比べて低い。そのため、ジョブ再開時に適用する搬送速度をエンプティ検出時点の搬送速度に設定してしまうと、ジャムの発生や画質低下の可能性が高くなるのである。ジョブ再開時に適用する搬送速度を設定した後、画像形成装置１は、搬送を再開させる（ステップＳ３５）。以上で、ジョブ再開処理（ステップＳ６）が終了する。
【００７５】
次に、条件判定処理（ステップＳ３１）の詳細な処理手順について説明する。図１１は、条件判定処理（ステップＳ３１）の詳細な処理手順の一例を示すフローチャートである。画像形成装置１は、条件判定処理を開始すると、サブ条件１２１ａを満たすかどうかを判断する。具体的には、条件判定処理開始時点でジョブを投入したユーザーが画像形成装置１の近傍に存在するか否かを確認する（ステップＳ４０）。画像形成装置１は、ユーザー検出部７２によって、ジョブを投入したユーザーが画像形成装置１の近傍で検出されているか否かを確認する。ユーザー検出部７２によって、ジョブを投入したユーザーが画像形成装置１の近傍で検出されている場合（ステップＳ４０でＹＥＳ）、画像形成装置１は、条件を満たすと判定する（ステップＳ４６）。このとき、図７の例では複数のサブ条件１２１ａ〜１２１ｅが設定されているが、これら複数のサブ条件のうち少なくとも一つのサブ条件を満たせばよい。したがって、サブ条件１２１ａを満たす場合には、画像形成装置１は、条件を満たすと判定するのである。以降の処理についても同様である。一方、ユーザー検出部７２によって、ジョブを投入したユーザーが画像形成装置１の近傍で検出されていない場合は（ステップＳ４０でＮＯ）、処理はステップＳ４１に進む。
【００７６】
次に、画像形成装置１は、サブ条件１２１ｂを満たすかどうかを判断するため、ジョブがモノクロ印刷のみを行うジョブであるか否かを確認する（ステップＳ４１）。当該ジョブがモノクロ印刷のみを行うジョブである場合（ステップＳ４１でＹＥＳ）、画像形成装置１は条件を満たすと判定する（ステップＳ４６）。一方、当該ジョブがモノクロ印刷のみを行うジョブでない場合（ステップＳ４１でＮＯ）、画像形成装置１は、サブ条件１２１ｃを満たすかどうかを判断するため、当該ジョブが所定値以下の解像度で画像形成を行うジョブであるか否かを確認する（ステップＳ４２）。当該ジョブが所定値以下の解像度で画像形成を行うジョブである場合（ステップＳ４２でＹＥＳ）、画像形成装置１は条件を満たすと判定する（ステップＳ４６）。一方、当該ジョブが所定値以下の解像度で画像形成を行うジョブでない場合（ステップＳ４２でＮＯ）、画像形成装置１は、サブ条件１２１ｄを満たすかどうかを判断するため、当該ジョブが、文字のみの画像形成を行うジョブであるか否かを確認する（ステップＳ４３）。当該ジョブが文字のみの画像形成を行うジョブである場合（ステップＳ４３でＹＥＳ）、画像形成装置１は条件を満たすと判定する（ステップＳ４６）。一方、当該ジョブが文字のみの画像形成を行うジョブでない場合（ステップＳ４３でＮＯ）、処理はステップＳ４４に進む。
【００７７】
次に、画像形成装置１は、サブ条件１２１ｅを満たすかどうかを判断するため、当該ジョブが２つの給紙トレイ５を使用するジョブであるか否かを確認する（ステップＳ４４）。当該ジョブが２つの給紙トレイ５を使用するジョブでない場合（ステップＳ４４でＮＯ）、画像形成装置１は、条件を満たさないと判定する（ステップＳ４７）。一方、当該ジョブが２つの給紙トレイ５を使用するジョブである場合（ステップＳ４４でＹＥＳ）、画像形成装置１は、エンプティ状態が検出された給紙トレイ５が、当該ジョブにおいて使用される２つの給紙トレイ５のうち、ジョブによって使用される用紙量が少ない給紙トレイ５であるか否かを確認する（ステップＳ４５）。エンプティ状態が検出された給紙トレイ５が、用紙の使用量の少ない給紙トレイ５である場合（ステップＳ４５でＹＥＳ）、画像形成装置１は、条件を満たすと判定する（ステップＳ４６）。一方、エンプティ状態が検出された給紙トレイ５が、用紙の使用量の少ない給紙トレイ５でない場合（ステップＳ４５でＮＯ）、画像形成装置１は、条件を満たさないと判定する（ステップＳ４７）。以上で、条件判定処理（ステップＳ３１）が終了する。
【００７８】
次に、用紙種類判別処理（ステップＳ７）の詳細な処理手順について説明する。図１２は、用紙種類判別処理（ステップＳ７）の詳細な処理手順の一例を示すフローチャートである。画像形成装置１は、用紙種類判別処理を開始すると、用紙種類判別部７１を制御して用紙種類判別を実行する（ステップＳ３６）。そして画像形成装置１は、判別実行欄１１４を「実行済」に変更してトレイ設定６２を更新する（ステップＳ３７）。画像形成装置１は、トレイ設定６２の用紙種類に変更があるか否かを判断する（ステップＳ３８）。トレイ設定６２の用紙種類に変更がある場合（ステップＳ３８でＹＥＳ）、画像形成装置１は、更に搬送テーブル６４を参照し、変更された用紙種類に対応する搬送速度を決定し、変更する（ステップＳ３９）。すなわち、画像形成装置１は、用紙種類判別部７１によって判別される用紙の種類に応じて用紙搬送機構１０による用紙の搬送速度を設定する。一方、トレイ設定６２の用紙種類に変更がない場合（ステップＳ３８でＮＯ）、処理は終了する。以上で、用紙種類判別処理（ステップＳ７）が終了する。
【００７９】
上述したように、本実施形態における画像形成装置１は、ジョブ実行中に給紙トレイ５に補充される用紙のエンプティ状態が検出された後、用紙搬送機構１０によって補充後の用紙の搬送動作が開始されるときに、所定の条件が満たされているか否かを判定し、所定の条件が満たされていると判定した場合に、用紙搬送機構１０による用紙の搬送速度を、エンプティ状態が検出された時点の搬送速度に設定することが可能な構成である。したがって、用紙が補充された後の用紙の搬送速度を最低速度に設定する場合と比べて、印刷時間を短いものとすることが可能である。
【００８０】
さらに、本実施形態における画像形成装置１は、給紙トレイ５のエンプティ状態が検出されて用紙の補充が行われた後、用紙搬送機構１０によって最初に搬送される用紙の種類を判別することが可能な構成である。そのため、エンプティ状態が検出された時点の搬送速度が、補充された用紙の種類に適した搬送速度でない場合であっても、補充された用紙の種類に適した搬送速度に早期に変更することが可能であり、ジャムの発生や質の低下を防ぐことが可能である。
【００８１】
（第２実施形態）
次に本発明の第２実施形態について説明する。本実施形態では、ジョブの実行中に、給紙トレイ５に補充される用紙のエンプティ状態が検出された場合に、補充する用紙の種類を変更するかどうかをユーザーに問い合わせて確認することが可能な一形態について説明する。
【００８２】
図１３は、ジョブの実行中に給紙トレイ５のエンプティ状態が検出された場合に、補充する用紙を変更するか否かをユーザーに問い合わせる用紙種類変更確認画面の一例を示す図である。図１３（ａ）に示すように、ジョブの実行中に給紙トレイ５のエンプティ状態が検出されると、表示部３３には、用紙種類変更確認画面Ｇ１が表示される。この用紙種類変更確認画面Ｇ１は、給紙トレイ５に補充された用紙がなくなったことをユーザーに通知するとともに、用紙種類を変更するか否かをユーザーに確認するメッセージＭ１が表示される。用紙種類変更確認画面Ｇ１には、ユーザーに対して用紙種類を変更するか否かを問い合わせるためのボタンＢ１，Ｂ２が表示される。用紙を補充しようとするユーザーは、用紙種類を変更しないのであれば、ボタンＢ２を操作する。一方、用紙種類を変更するのであればボタンＢ１を操作する。ユーザーによってボタンＢ１が操作されると、用紙種類変更確認画面Ｇ１は図１３（ｂ）に示すように、用紙種類変更確認画面Ｇ２に遷移する。用紙種類変更確認画面Ｇ２では、変更後の用紙種類をユーザーに確認するメッセージＭ２と、変更後の用紙種類をユーザーに選択させるボタンＢ３とが表示される。ユーザーは、ボタンＢ３を操作することにより変更後の用紙種類を選択し、その後ボタンＢ４を操作することにより、変更後の用紙種類を確定させる。このような用紙種類変更確認画面は、搬送速度決定部４２によって生成され、表示部３３に表示されるものであってもよいし、トレイ設定管理部４５によって生成され、表示部３３に表示されるものであってもよい。尚、用紙種類変更確認画面が表示部３３に表示されることを例示したが、これに限られるものではない。用紙種類変更確認画面は、ジョブを投入したユーザーのコンピュータに送信され、ユーザーのコンピュータの表示部に表示されるものでもよい。この場合は、ユーザーのコンピュータは持ち運びが可能な携帯端末であることが望ましい。ユーザーは、出力された印刷物を取りにいくために自席を離れていることが多いと考えられるためである。
【００８３】
次に、本実施形態の画像形成装置１における具体的な動作の一例について説明する。本実施形態の画像形成装置１による主たる処理手順は、図８で示したフローチャートと同様である。ただし、本実施形態では、図１０に示したジョブ再開処理（ステップＳ６）の処理手順の詳細が第１実施形態と異なる。そのため、本実施形態におけるジョブ再開処理（ステップＳ６）の詳細について説明する。
【００８４】
図１４は、本実施形態におけるジョブ再開処理（ステップＳ６）の詳細な処理手順の一例を示すフローチャートである。画像形成装置１は、ジョブ再開処理を開始すると、用紙種類変更確認画面Ｇ１においてユーザーによって「変更する」が選択されたか否かを確認する（ステップＳ５０）。ユーザーによって「変更する」が選択されていれば（ステップＳ５０でＹＥＳ）、画像形成装置１は、用紙種類設定欄１１３をユーザーによって選択された用紙種類に変更してトレイ設定６２を更新する（ステップＳ５１）。一方、ユーザーによって「変更する」が選択されていない場合、すなわち、「変更しない」が選択されている場合（ステップＳ５０でＮＯ）、画像形成装置１は、トレイ設定６２を更新しない（ステップＳ５２）。そして、画像形成装置１は、搬送速度をトレイ設定６２における用紙種類に適した搬送速度に設定する（ステップＳ５３）。すなわち、用紙種類変更確認画面Ｇ１において、「変更しない」を選択されたことが確認されている場合には、エンプティ検出時点の搬送速度をジョブ再開時の搬送速度として設定する。ジョブ再開時の搬送速度を設定すると、画像形成装置１は搬送を開始する（ステップＳ５４）。以上で、本実施形態におけるジョブ再開処理（ステップＳ６）を終了する。
【００８５】
本実施形態における画像形成装置１は、ジョブの実行中に、給紙トレイ５のエンプティ状態が検出された場合に、補充する用紙の種類を変更するか否かをユーザーに問い合わせる。そのため、トレイ設定６２における用紙種類と補充される用紙の種類が一致する可能性は極めて高い。そして、第１実施形態と同様に、用紙が補充された後の用紙の搬送速度を最低速度に設定する場合と比べて、印刷時間を短くすることが可能である。
【００８６】
また、ユーザーが間違った種類の用紙を補充したとしても、第１実施形態における画像形成装置１と同様に、給紙トレイ５のエンプティ状態を検出し、用紙補充後に、用紙搬送機構１０によって最初に搬送される用紙の種類を判別することが可能な構成である。そのため、トレイ設定６２における用紙種類に適した搬送速度が、実際に補充された用紙の種類に適した搬送速度でない場合であっても、補充された用紙の種類に適した搬送速度に早期に変更することが可能であり、ジャムの発生や画質の低下を防ぐことが可能である。
【００８７】
尚、本実施形態において上述した点以外については、第１実施形態で説明したものと同様である。そのため、本実施形態の画像形成装置１は、第１実施形態と同様の作用効果を奏するものである。
【００８８】
（第３実施形態）
次に本発明の第３実施形態について説明する。本実施形態では、用紙搬送機構１０による用紙の搬送速度をエンプティ状態が検出された時点の搬送速度に設定した場合、ジョブの実行が完了するまでエンプティ状態が検出された時点の搬送速度を維持し、当該ジョブの実行が完了するまでにジャムが発生した場合に、その後の用紙搬送機構１０による用紙の搬送速度を、エンプティ状態が検出された時点の搬送速度よりも低速である所定の搬送速度（最低速度）に設定することが可能な一形態について説明する。
【００８９】
図１５は、本実施形態の画像形成装置１におけるハードウェア構成及び機能構成の一例を示す図である。画像形成装置１はその構成として、スキャナ部２と、プリンタ部４と、ＦＡＸ部７と、ネットワークインタフェース３１と、操作パネル３２と、記憶部３５と、制御部４０と、エンプティセンサ７０と、用紙種類判別部７１と、ユーザー検出部７２と、ジャム検出部７３とを備えている。第１実施形態の画像形成装置１におけるハードウェア構成及び機能構成の一例と異なる点は、ジャム検出部７３を更に備えている点である。ジャム検出部７３は、用紙の搬送中に上述した各種ローラが異常停止するとジャムの発生を検出する。
【００９０】
次に、本実施形態の画像形成装置１における具体的な動作の一例について説明する。図１６は、本実施形態の画像形成装置１において行われる処理手順の一例を示すフローチャートである。尚、ステップＳ１〜Ｓ８の処理については図８で示した処理と同様である。この処理は画像形成装置１がジョブを受け付けることによって開始される。画像形成装置１は、ジョブを受け付けると（ステップＳ１）、ジョブ開始処理を実行する（ステップＳ２）。ジョブ開始処理が実行され、用紙の搬送が開始されると、画像形成装置１は、給紙トレイ５におけるエンプティ状態が検出されたか否かを確認する（ステップＳ３）。エンプティ状態が検出されていない場合（ステップＳ３でＮＯ）、処理はステップＳ６０までスキップする。一方、エンプティ状態が検出された場合（ステップＳ３でＹＥＳ）、画像形成装置１はジョブを中断する（ステップＳ４）。次に画像形成装置１は、用紙が補充されたか否かを確認し（ステップＳ５）、用紙が補充されていれば第１のジョブ再開処理を実行する（ステップＳ６）。第１のジョブ再開処理は、図１０で示したジョブ再開処理（ステップＳ６）と同様の処理である。
【００９１】
ステップＳ６０において、画像形成装置１はジャム検出部７３によってジャムが検出されたか否かを確認する（ステップＳ６０）。ジャム検出部７３によってジャムが検出されていない場合（ステップＳ６０でＮＯ）、処理はステップＳ８までスキップする。一方、ジャム検出部７３によってジャムが検出されている場合（ステップＳ６０でＹＥＳ）、画像形成装置１はジョブを中断する（ステップＳ６１）。その後、画像形成装置１はジャムが解消されたか否かを確認し（ステップＳ６２）、ジャムが解消されている場合（ステップＳ６２でＹＥＳ）、第２のジョブ再開処理を実行する（ステップＳ６３）。
【００９２】
図１７は、第２のジョブ再開処理（ステップＳ６３）の詳細な処理手順の一例を示すフローチャートである。画像形成装置１は、第２のジョブ再開処理を開始すると、ステップ６０においてジャムが検出されたことにより中断されたジョブが、そのジャムが発生するより前にエンプティ状態が検出されていたジョブであるか否かを確認する（ステップＳ６５）。当該ジョブが、ジャム検出による中断前にエンプティ状態を検出していたジョブである場合（ステップＳ６５でＹＥＳ）、画像形成装置１は、用紙の搬送速度を最低速度（搬送速度Ｖ４）に変更する（ステップＳ６６）。すなわち、画像形成装置１は、当該ジョブが、ジャム検出による中断前にエンプティ状態を検出していたジョブである場合、エンプティ状態が検出された時点の搬送速度より低速な搬送速度Ｖ４に変更することにより、この後に再度ジャムが発生すること防止する。その後、画像形成装置１は、搬送を再開する（ステップＳ６７）。以上で、第２のジョブ再開処理を終了する。
【００９３】
図１６に戻り、ジョブを再開した画像形成装置１は、用紙種類判別処理を実行する（ステップＳ７）。用紙種類判別処理は、搬送される用紙の種類を判別してトレイ設定６２を更新する処理であり、用紙種類判別処理の詳細な処理手順は図１２で示した処理と同様である。用紙種類判別処理を実行した後、画像形成装置１は、ジョブが終了したか否かを確認し（ステップＳ８）、ジョブが終了していれば（ステップＳ８でＹＥＳ）、処理を終了する。一方、ジョブが終了していなければ（ステップＳ８でＮＯ）、ステップＳ３〜Ｓ７の処理を繰り返す。
【００９４】
上述したように、本実施形態における画像形成装置１は、用紙搬送機構１０による用紙の搬送速度をエンプティ状態が検出された時点の搬送速度に設定した場合、ジョブの実行が完了するまでエンプティ状態が検出された時点の搬送速度を維持し、当該ジョブの実行が完了するまでにジャムが発生した場合には、ジャム解消後に再開される用紙搬送機構１０による用紙の搬送速度を、エンプティ状態が検出された時点の搬送速度よりも低速である所定の搬送速度に設定することが可能な構成である。第１実施形態における画像形成装置１と同様に、エンプティ状態が検出された後ジョブが再開する際、所定の条件を満たしている場合には、エンプティ時点の搬送速度に設定することにより、搬送速度を最低速度に設定する場合と比べて、印刷時間を短いものとすることが可能である。
【００９５】
エンプティ状態が検出された時点の搬送速度に設定した後に、ジャムが発生した場合には、搬送速度をエンプティ状態が検出された時点の搬送速度よりも低速な搬送速度Ｖ４に変更することにより、再度のジャムの発生を防ぐことが可能である。
【００９６】
尚、本実施形態において上述した点以外については、第１実施形態又は第２実施形態と同様である。そのため、本実施形態の画像形成装置１は、第１実施形態又は第２実施形態と同様の作用効果を奏するものである。
【００９７】
（第４実施形態）
次に、本発明の第４実施形態について説明する。本実施形態の画像形成装置１は後述する検査画像取得部と、画像検査部とを更に備える。本実施形態の画像形成装置１は、エンプティ状態が検出されてジョブが中断された場合、用紙搬送機構１０による用紙の搬送速度をエンプティ状態が検出された時点の搬送速度に設定してジョブを再開する。この場合、ジョブの実行が完了するまでエンプティ状態が検出された時点の搬送速度を維持し、当該ジョブの実行が完了するまでに画像検査部によって画像の品質が所定品質よりも低いかどうかが検査される。検査される画像の品質が所定の品質よりも低い場合、画像形成装置１がエンプティ状態の検出された時点の搬送速度よりも低速である所定の搬送速度（最低速度）に設定することを可能とする一形態について説明する。
【００９８】
図１８は、本実施形態の画像形成装置１の内部に設けられる用紙搬送機構１０の一例を示す図である。この用紙搬送機構１０は、複数の給紙トレイ５ａ，５ｂ，５ｃ，５ｄ，５ｅを備える給紙トレイ５から給紙される用紙を、搬送路１２に沿って図中矢印Ｆ２で示す方向に搬送して排紙口１８から排紙部６上に排出する。この搬送路１２には、複数の給紙ローラ１３ａ，１３ｂ，１３ｃ，１３ｄ，１３ｅを備える給紙ローラ１３と、レジストローラ１４と、用紙検出センサ２４と、転写部１５と、定着部１６と、排出ローラ１７と、エンプティセンサ７０と、用紙種類判別部７１と、検査画像取得部７４とが設けられている。第１実施形態の画像形成装置１における用紙搬送機構１０の一例と異なる点は、検査画像取得部７４が更に設けられている点である。
【００９９】
検査画像取得部７４は、搬送される用紙が所定の位置を通過する際に、搬送される用紙を照明し、用紙からの反射光を、所定の読取センサに導き、読取センサが読み取った画像を後述する画像検査部に出力する。所定の読取センサは、例えば、複数の画素を主走査方向に配列したＣＣＤラインセンサなどで構成される。このような検査画像取得部７４は、排出ローラ１７の下流に設けられることが望ましい。搬送される用紙の種類に適した搬送速度に設定されていない場合に、トナー像の定着不良が発生することがあるが、用紙が定着部１６を通過した直後では、トナー像のはがれが生じていない可能性が高い。そこで、排出ローラ１７の下流に設けることで、トナー像のはがれを検出できることが望ましいからである。
【０１００】
図１９は、本実施形態の画像形成装置１におけるハードウェア構成及び機能構成の一例を示す図である。画像形成装置１はその構成として、スキャナ部２と、プリンタ部４と、ＦＡＸ部７と、ネットワークインタフェース３１と、操作パネル３２と、記憶部３５と、制御部４０と、エンプティセンサ７０と、用紙種類判別部７１と、ユーザー検出部７２と、上述した検査画像取得部７４とを備えている。
【０１０１】
記憶部３５には、第１実施形態において説明したプログラム６０等に加え、ジョブ受付部４１によって受け付けられたジョブに含まれる画像データ６６が記憶されている。画像データ６６は、検査画像取得部７４によって取得された画像と比較するためのデータである。
【０１０２】
制御部４０のＣＰＵは、画像形成装置１に電源が投入されることにより、記憶部３５からプログラム６０を読み出して実行する。これにより、制御部４０は、第１実施形態において説明したジョブ受付部４１などに加え、画像検査部４６として機能する。
【０１０３】
画像検査部４６は、検査画像取得部７４によって取得される画像を検査する処理部である。画像検査部４６は、エンプティ状態が検出されたことによって中断されたジョブの再開時に用紙搬送機構１０による用紙の搬送速度をエンプティ状態が検出された時点の搬送速度に設定した場合に、その後に搬送される用紙の画像を取得するように検査画像取得部７４を制御する。画像検査部４６は、検査画像取得部７４によって取得される検査画像を入力すると、記憶部３５に記憶される画像データ６６と比較し、検査画像取得部７４によって取得される画像が所定の品質以下であるかを検査する。画像検査部４６は、検査結果を搬送速度決定部４２に出力する。
【０１０４】
画像検査部４６から出力される検査結果に基づいて、検査画像取得部７４によって取得される画像が所定の品質以下であると判断される場合、搬送速度決定部４２は、用紙の搬送速度をエンプティ検出時点の搬送速度より低速な搬送速度Ｖ４（最低速度）に変更する。低速な搬送速度に設定することで、トナー像の定着不良を防ぎ、画像の品質を向上させるためである。
【０１０５】
次に、本実施形態の画像形成装置１における具体的な動作の一例について説明する。図２０は、本実施形態の画像形成装置１において行われる処理手順の一例を示すフローチャートである。尚、ステップＳ１〜Ｓ８の処理については図８で示した処理と同様である。この処理は、画像形成装置１がジョブを受け付けることによって開始される。画像形成装置１は、ジョブを受け付けると（ステップＳ１）、ジョブ開始処理を実行する（ステップＳ２）。ジョブ開始処理が実行され、用紙の搬送が開始されると、画像形成装置１は、給紙トレイ５のエンプティ状態が検出されたか否かを確認する（ステップＳ３）。エンプティ状態が検出されていない場合（ステップＳ３でＮＯ）、処理はステップＳ７２までスキップする。一方、エンプティ状態が検出された場合（ステップＳ３でＹＥＳ）、画像形成装置１はジョブを中断する（ステップＳ４）。次に画像形成装置１は、用紙が補充されたか否かを確認し（ステップＳ５）、用紙が補充されていれば（ステップＳ５でＹＥＳ）、ジョブ再開処理を実行する（ステップＳ６）。ジョブ再開処理は、図１０で示したジョブ再開処理（ステップＳ６）と同様の処理である。
【０１０６】
ジョブ再開処理を実行した後、画像形成装置１は、ジョブ再開処理でエンプティ状態が検出された時点の搬送速度に設定されているか否かを確認する（ステップＳ７０）。エンプティ状態が検出された時点の搬送速度である場合（ステップＳ７０でＹＥＳ）、画像取得フラグをＯＮにする（ステップＳ７１）。画像取得フラグとは、搬送される用紙の画像を検査画像取得部７４が読み取るか否かを決定するフラグである。次に画像形成装置１は、画像取得フラグがＯＮとなっているか否かを確認する（ステップＳ７２）。画像取得フラグがＯＮとなっている場合（ステップＳ７２でＹＥＳ）、搬送される用紙の画像を検査画像取得部７４が読み取り、画像検査部４６に読み取った画像を出力する。画像を入力した後、画像検査部４６は、記憶部３５に記憶されている画像データ６６と検査画像取得部７４から入力する画像とを比較し、検査画像取得部７４から入力する画像が所定の品質以下であるかを検査する。そして検査画像取得部７４によって読み取られた画像が所定の品質以下である場合（ステップＳ７３でＹＥＳ）、画像形成装置１は、搬送速度をエンプティ時点の搬送速度より低速の搬送速度Ｖ４（最低速度）に変更する（ステップＳ７４）。一方、画像取得フラグがＯＮになっていない場合（ステップＳ７２でＮＯ）、又は、検査画像取得部７４から入力する画像が所定の品質以下でない場合は（ステップＳ７３でＮＯ）、処理はステップＳ８までスキップする。ステップＳ７４で搬送速度を搬送速度Ｖ４に変更すると、画像形成装置１は、用紙種類判別処理を行う（ステップＳ７）。用紙種類判別処理は、搬送される用紙の種類を判別してトレイ設定６２を更新する処理であり、用紙種類判別処理の詳細な処理手順は図１２で示した処理と同様である。用紙種類判別処理を実行した後、画像形成装置１は、画像取得フラグをＯＦＦにする（ステップＳ７５）。画像形成装置１は、ジョブが終了したか否かを確認し（ステップＳ８）、ジョブが終了していれば（ステップＳ８でＹＥＳ）、画像取得フラグをＯＦＦにして（ステップＳ７６）、処理を終了する。一方、ジョブが終了していなければ（ステップＳ８でＮＯ）、ステップＳ３〜Ｓ７の処理を繰り返す。
【０１０７】
上述したように、本実施形態における画像形成装置１は、用紙搬送機構１０による用紙の搬送速度をエンプティ状態が検出された時点の搬送速度に設定した場合、ジョブの実行が完了するまでエンプティ状態が検出された時点の搬送速度を維持し、当該ジョブの実行が完了するまでに画像検査部４６において搬送される用紙の画像の品質が所定品質よりも低いかどうかを検査する。検査した結果、搬送される用紙の画像の品質が所定品質よりも低い場合に、エンプティ状態が検出された時点の搬送速度よりも低速である所定の搬送速度（最低速度）に設定することが可能な構成である。第１実施形態における画像形成装置１と同様に、エンプティ状態が検出された後にジョブを再開する際に、所定の条件を満たしている場合には、エンプティ時点の搬送速度に設定することにより、搬送速度を最低速度に設定する場合と比べて、印刷時間を短いものとすることが可能である。
【０１０８】
エンプティ状態が検出された時点の搬送速度に設定した後、搬送される用紙に形成される画像の品質が所定品質よりも低い場合は、搬送速度をエンプティ状態が検出された時点の搬送速度よりも低速な搬送速度Ｖ４（最低速度）に変更することにより、画像の品質を向上することが可能である。
【０１０９】
尚、本実施形態において上述した点以外については、第１乃至第３実施形態のいずれかで説明したものと同様である。そのため、本実施形態の画像形成装置１は、第１乃至第３実施形態と同様の作用効果を奏するものである。
【０１１０】
（第５実施形態）
次に、本発明の第５実施形態について説明する。本実施形態では、用紙種類判別を実行するか否かをユーザーに選択させることが可能な一形態について説明する。
【０１１１】
図２１は、ジョブの実行中に、用紙種類判別を実行するか否かをユーザーに選択させる判別実行選択画面の一例を示す図である。図２１に示すように、判別実行選択画面Ｇ３には、ジョブの実行中に用紙種類判別を実行するか否かをユーザーに確認するメッセージＭ３と、ユーザーによって操作されるボタンＢ５，Ｂ６が表示されている。ユーザーは、用紙種類判別を実行したい場合はボタンＢ５を操作し、用紙種類判別を実行したくない場合はボタンＢ６を操作する。ユーザーによってボタンＢ５が操作されると、判別制御部４４は、用紙種類判別部７１を制御し、用紙種類判別部７１を通過する１枚目の用紙の種類を判別させる。このような判別実行選択画面Ｇ３は、ジョブの実行が開始されるタイミングで判別制御部４４によって生成され、表示部３３に表示されるものであってもよいし、エンプティ状態が検出された場合に判別制御部４４によって生成され、表示部３３に表示されるものであってもよい。また、ユーザーがジョブの設定操作を行うための操作画面において、用紙種類判別を実行するか否かをユーザーに選択させるメッセージやボタンを表示させるものであってもよい。ユーザーがジョブの設定操作を行うための操作画面は、表示部３３に表示されるものに限られず、ネットワークを介して画像形成装置１と接続されるコンピュータの表示部に表示される操作画面であってもよい。
【０１１２】
上述したように、本実施形態における画像形成装置１は、用紙種類判別を実行するか否かをユーザーに選択させることが可能な構成である。ユーザーに用紙種類判別を実行するか否かを選択させることで、ユーザーが用紙種類判別を実行したいと思ったときに用紙種類判別を実行させることが可能となる。
【０１１３】
尚、本実施形態において上述した点以外については、第１乃至第４実施形態のいずれかで説明したものと同様である。そのため、本実施形態の画像形成装置１は、第１乃至第４実施形態と同様の作用効果を奏するものである。
【０１１４】
（第６実施形態）
次に、本発明の第６実施形態について説明する。本実施形態では、トレイ設定６２の判別実行欄１１４が「未実行」である場合に、用紙種類判別を実行することが可能な一構成について説明する。
【０１１５】
本実施形態の画像形成装置１における具体的な動作の一例について説明する。図２２は、本実施形態の画像形成装置１において行われる処理手順の一例を示すフローチャートである。尚、ステップＳ１，Ｓ３〜Ｓ８の処理については図８で示した処理と同様である。この処理は画像形成装置１がジョブを受け付けることによって開始される。画像形成装置１は、ジョブを受け付けると（ステップＳ１）、ジョブ開始処理を実行する（ステップＳ２ａ）。
【０１１６】
図２３は、本実施形態におけるジョブ開始処理（ステップＳ２ａ）の詳細な処理手順の一例を示すフローチャートである。画像形成装置１は、ジョブ開始処理を開始すると、トレイ設定６２を確認する（ステップＳ２０）。ここで、トレイ設定６２の判別実行欄１１４が「実行済」であれば（ステップＳ９０でＹＥＳ）、画像形成装置１は、搬送速度をトレイ設定６２における用紙種類、すなわち用紙種類判別部７１によって判別される用紙種類に応じた搬送速度に設定する（ステップＳ２１）。一方、トレイ設定６２の判別実行欄１１４が「実行済」ではない場合、すなわち「未実行」である場合（ステップＳ９０でＮＯ）、画像形成装置１は、搬送速度を搬送速度Ｖ４（最低速度）に設定する（ステップＳ９１）。当該ジョブの前に実行されたジョブにおいて、エンプティ状態が検出され、その後用紙種類判別が実行されないままジョブが終了していることがある。そのような場合は、トレイ設定６２の判別実行欄１１４が「未実行」となっている。トレイ設定６２の判別実行欄１１４が「未実行」である場合には、用紙の搬送速度を低速なものに設定し、ジャムの発生等を防ぐのである。尚、ステップＳ９１の処理において、トレイ設定６２の判別実行欄１１４が「未実行」である場合、ユーザーに搬送速度の設定をトレイ設定６２の用紙種類に応じた搬送速度に設定するか、低速な搬送速度に設定するかを選択させるようにしてもよい。搬送速度を設定した後、画像形成装置１は、用紙の搬送を開始する（ステップＳ２２）。以上で、ジョブ開始処理（ステップＳ２ａ）を終了する。
【０１１７】
図２２に戻り、用紙の搬送が開始されると、画像形成装置１は、給紙トレイ５におけるエンプティ状態が検出されたか否かを確認する（ステップＳ３）。エンプティ状態が検出されていない場合（ステップＳ３でＮＯ）、処理はステップＳ８０までスキップする。一方、エンプティ状態が検出された場合（ステップＳ３でＹＥＳ）、画像形成装置１はジョブを中断する（ステップＳ４）。次に画像形成装置１は、用紙が補充されたか否かを確認し（ステップＳ５）、用紙が補充されていればジョブ再開処理を実行する（ステップＳ６）。ジョブ再開処理は、図１０で示したジョブ再開処理（ステップＳ６）と同様の処理である。
【０１１８】
ステップＳ８０において、画像形成装置１は、トレイ設定６２の判別実行欄１１４が「実行済」であるか否かを確認する（ステップＳ８０）。トレイ設定６２の判別実行欄１１４が「実行済」である場合には（ステップＳ８０でＹＥＳ）、処理はステップＳ８までスキップする。一方、トレイ設定６２の判別実行欄１１４が「実行済」でない場合、すなわち「未実行」である場合には（ステップＳ８０でＮＯ）、画像形成装置１は用紙種類判別処理を実行する（ステップＳ７）。用紙種類判別処理の詳細な処理手順は、図１２で示した処理と同様である。ステップＳ８において、画像形成装置１は、ジョブが終了したか否かを確認し（ステップＳ８）、ジョブが終了していれば（ステップＳ８でＹＥＳ）、処理を終了する。一方、ジョブが終了していなければ（ステップＳ８でＮＯ）、ステップＳ３〜Ｓ７の処理を繰り返す。
【０１１９】
上述したように、本実施形態における画像形成装置１は、トレイ設定６２の判別実行欄１１４が「未実行」である場合に、用紙種類判別を実行することが可能な構成である。トレイ設定６２の判別実行欄１１４が「未実行」の状態でジョブが開始され、低速な搬送速度が設定された場合に、早期に用紙種類判別を実行することにより、給紙トレイ５に補充された用紙に適した搬送速度等に設定することが可能である。
【０１２０】
尚、本実施形態において上述した点以外については、第１乃至第５実施形態のいずれかで説明したものと同様である。そのため、本実施形態の画像形成装置１は、第１乃至第５実施形態と同様の作用効果を奏するものである。
【０１２１】
（第７実施形態）
次に、本発明の第７実施形態について説明する。本実施形態では、ジョブの実行中に給紙トレイ５に補充された用紙のエンプティ状態が検出された後、用紙搬送機構１０によって補充後の用紙の搬送動作が開始されるとき、用紙搬送機構１０による用紙の搬送速度を、エンプティ状態が検出された時点の搬送速度よりも低速である所定の搬送速度に設定することが可能な一形態について説明する。
【０１２２】
本実施形態の画像形成装置１における具体的な動作の一例について説明する。本実施形態の画像形成装置１による主たる処理手順は、図８で示したフローチャートと同様である。ただし、本実施形態では、図１０に示したジョブ再開処理（ステップＳ６）の処理の詳細が第１実施形態と異なる、そのため、本実施形態におけるジョブ再開処理（ステップＳ６）の詳細について説明する。
【０１２３】
図２４は、本実施形態におけるジョブ再開処理（ステップＳ６）の詳細な処理手順の一例を示すフローチャートである。画像形成装置１は、ジョブ再開処理を開始すると、記憶部３５に記憶される設定条件情報６３を参照し、サブ条件１２１の設定があるか否かを確認する（ステップＳ３０）。設定条件情報６３を確認し、サブ条件１２１の設定があった場合（ステップＳ３０でＹＥＳ）、画像形成装置１は条件判定処理を実行する（ステップＳ３１）。一方、サブ条件１２１の設定がなかった場合（ステップＳ３０でＮＯ）、処理はステップＳ１００に進む。条件判定処理の詳細な処理手順は図１１で示した処理と同様である。条件判定処理を実行した画像形成装置１は、所定の条件を満たさない場合（ステップＳ３２でＮＯ）、搬送速度を、搬送速度Ｖ４（最低速度）に設定する（ステップＳ３４）。一方、条件判定処理の結果、所定の条件を満たす場合には（ステップＳ３２でＹＥＳ）、画像形成装置１は、エンプティ時点の搬送速度より低速かつ搬送速度Ｖ４より高速の搬送速度が存在するか否かを確認する（ステップＳ１００）。ここで、例えば、エンプティ検出時点の搬送速度が搬送速度Ｖ１である場合であれば、搬送速度Ｖ２，Ｖ３が該当する。また、エンプティ検出時点の搬送速度が搬送速度Ｖ２である場合であれば、搬送速度Ｖ３が該当する。さらに、エンプティ検出時点の搬送速度が搬送速度Ｖ３又はＶ４である場合には、該当する搬送速度は存在しない。ステップＳ１００において、該当する搬送速度が存在する場合（ステップＳ１００でＹＥＳ）、画像形成装置１は搬送速度を、エンプティ検出時点の搬送速度より低速かつ搬送速度Ｖ４より高速の搬送速度に設定する（ステップＳ１０１）。ここで、複数の搬送速度が該当する場合、その中で最も高速の搬送速度を設定するようにしてもよいし、予めユーザーに搬送速度の速さを重視するのか、ジャム等を防止することを重視するのかを設定させておいてもよい。ステップＳ１００において、該当する搬送速度が存在しない場合（ステップＳ１００でＮＯ）、画像形成装置１は、搬送速度をエンプティ検出時点の搬送速度に設定する（ステップＳ１０２）。搬送速度を設定した後、画像形成装置１は、用紙の搬送を再開する（ステップＳ３５）。以上で、ジョブ再開処理（ステップＳ６）を終了する。
【０１２４】
上述したように、本実施形態における画像形成装置１は、ジョブの実行中に給紙トレイ５に補充された用紙のエンプティ状態が検出された後、用紙搬送機構１０によって補充後の用紙の搬送動作が開始されるとき、用紙搬送機構１０による用紙の搬送速度を、エンプティ状態が検出された時点の搬送速度よりも低速である所定の搬送速度に設定することが可能な構成である。したがって、用紙が補充された後の用紙の搬送速度として設定可能な搬送速度のうち最も低速なものを設定する場合と比べて、印刷時間を短いものとすることが可能である。また、エンプティ状態が検出された時点の搬送速度よりも低速であるため、ジャムの発生や画質の低下を防止することも可能である。
【０１２５】
尚、本実施形態において上述した点以外については、第１乃至第６実施形態のいずれかで説明したものと同様である。そのため、本実施形態の画像形成装置１は、第１乃至第６実施形態と同様の作用効果を奏するものである。
【０１２６】
（変形例）
以上、本発明に関する幾つかの実施形態について説明した。しかし、本発明は、上記各実施形態において説明した内容のものに限られるものではなく、種々の変形例が適用可能である。
【０１２７】
例えば、上記第１乃至第７実施形態のそれぞれにおいて説明した構成及び動作は、他の実施形態においても適用することが可能である。
【０１２８】
上記実施形態では、プログラム６０が画像形成装置１に予めインストールされている場合を例示した。しかし、プログラム６０は、画像形成装置１に予めインストールされているものに限られず、それ単独で取引の対象となるものであっても構わない。この場合、プログラム６０は、インターネットなどを介してユーザー自身がダウンロードする形態で画像形成装置１に提供されるものであってもよいし、ＣＤ−ＲＯＭなどのコンピュータ読み取り可能な印刷媒体に記録された状態で画像形成装置１に提供されるものであっても構わない。
【０１２９】
上記実施形態では、エンプティセンサ７０が給紙ローラ１３のすぐ下流の位置に設けられる場合を例示した。しかし、エンプティセンサ７０は、給紙ローラ１３のすぐ下流の位置に設けられるものに限られず、各給紙トレイ５の底部などに設けられるセンサであっても構わない。この場合、エンプティセンサ７０は、各給紙トレイ５にセットされる用紙との接触を検出する接触センサや、用紙によって遮光されたことを検出する光センサなどで構成され、これらのセンサが給紙トレイ５にセットされる用紙を検出できない場合に、エンプティ状態を検出する。また、エンプティセンサ７０が各給紙トレイ５の底部などに設けられるセンサである場合、ジョブの実行に伴うエンプティ状態と、用紙の入れ替えに伴うエンプティ状態を区別できることが望ましい。用紙の入れ替えに伴うエンプティ状態が検出された後にセットされる用紙は、元々給紙トレイ５にセットされていた用紙と種類が異なることが通常だからである。ジョブの実行に伴うエンプティ状態と、用紙の入れ替えに伴うエンプティ状態を区別するために、エンプティセンサ７０は、給紙トレイ５のカセットが引き出された状態においてはエンプティ状態を検出しないようにすればよい。
【０１３０】
上記実施形態では、用紙種類判別部７１が透過型の超音波センサなどで構成される場合を例示した。しかし、用紙種類判別部７１は透過型の超音波センサなどで構成されるものに限られず、反射型の変位センサなどで構成されるものであっても構わない。
【符号の説明】
【０１３１】
１  画像形成装置
２  スキャナ部
４  プリンタ部
５  給紙トレイ（給紙トレイ）（第１の給紙トレイ）（第２の給紙トレイ）
７  ＦＡＸ部
１０  用紙搬送機構（搬送手段）
１１  画像形成部（画像形成手段）
３１  ネットワークインタフェース
３２  操作パネル
４０  制御部
４１  ジョブ受付部
４２  搬送速度決定部（条件判定手段）（制御手段）（確認手段）
４３  搬送速度制御部（制御手段）
４４  判別制御部（判別手段）（判別実行選択手段）
４６  画像検査部（画像検査手段）
６０  プログラム
７０  エンプティセンサ
７１  用紙種類判別部（判別手段）
７２  ユーザー検出部（ユーザー検出手段）
７３  ジャム検出部
７４  検査画像取得部（画像検査手段）
【図１】
2020015595.tif 000003
【図２】
2020015595.tif 000004
【図３】
2020015595.tif 000005
【図４】
2020015595.tif 000006
【図５】
2020015595.tif 000007
【図６】
2020015595.tif 000008
【図７】
2020015595.tif 000009
【図８】
2020015595.tif 000010
【図９】
2020015595.tif 000011
【図１０】
2020015595.tif 000012
【図１１】
2020015595.tif 000013
【図１２】
2020015595.tif 000014
【図１３】
2020015595.tif 000015
【図１４】
2020015595.tif 000016
【図１５】
2020015595.tif 000017
【図１６】
2020015595.tif 000018
【図１７】
2020015595.tif 000019
【図１８】
2020015595.tif 000020
【図１９】
2020015595.tif 000021
【図２０】
2020015595.tif 000022
【図２１】
2020015595.tif 000023
【図２２】
2020015595.tif 000024
【図２３】
2020015595.tif 000025
【図２４】
2020015595.tif 000026